(57)【要約】【課題】個人の予測される認知能力を、好ましくは睡眠履歴と１日の中での活動時間と、アクティグラフから得られた活動データを基礎とする睡眠履歴を含む要因と、個人の活動とに基づいて数値的に判定する。【解決手段】アクティグラフで個人の活動情報を収集し、睡眠計測システムを使用して、活動情報の解析に基づいて個人の覚醒状態と睡眠状態を表すデータ列を供給し、前記データ列に基づいて関数を選択し、選択された関数に基づいて認知能力容量を計算し、仕事情報を受け取り、少なくとも前記仕事情報に基づいて仕事値を求め、１日の中での時刻の値と仕事値で認知能力容量を変調し、かつ変調された値を予測された認知能力として出力する。【効果】アクティグラフを装着した人の業務スケジュールを最適化するために使用して、業務時間中の認知能力を最大にすることができる。
2005506601.tif 000002
【特許請求の範囲】
【請求項１】
アクティグラフで個人の活動情報を収集し、
睡眠計測システムを使用して、活動情報の解析に基づいて個人の覚醒状態と睡眠状態を表すデータ列を供給し、
前記データ列に基づいて関数を選択し、
選択された関数に基づいて認知能力容量を計算し、
仕事情報を受け取り、
少なくとも前記仕事情報に基づいて仕事値を求め、
１日の中での時刻の値と仕事値で認知能力容量を変調し、かつ
変調された値を予測された認知能力として出力することを含んでなる方法を遂行するプロセスを実行するための、コンピュータシステムで読み取り可能な搬送波内に実現されたデータ信号と符号化命令。
【請求項２】
請求項１のコンピュータ用データ信号であり、更に収集し、供給し、選択し、計算し、変調し、受信し、かつ決定する各工程を少なくとも２回繰り返すことを含んでなる追加の方法を遂行するプロセスを実行するための更なる符号化命令。
【請求項３】
認知能力レベルを求めるためのアクティグラフの方法であって、
睡眠計測システムを使用してアクティグラフで検出された動きの解析に基づいて個人の覚醒状態と睡眠状態を表すデータ列を蓄積し、
前記データ列に基づいて関数を選択し、
選択された関数と以前の認知能力容量に基づいて認知能力容量を求め、
仕事情報を受け取り、
少なくとも前記仕事情報に基づいて仕事値を求め、
認知能力容量を１日の中での時刻の値と仕事情報で変調し、かつ
変調された値を供給することを含んでなることを特徴とする、方法。
【請求項４】
両変調工程の後で変調された値を記憶し、
前記データ列の少なくとも２点のデータについて選択、決定、変調、受信、第２の決定、送信および記憶の各工程を繰り返すことを更に含む、請求項３記載の方法。
【請求項５】
前記供給する工程が変調された値を送信することを含む、請求項３又は４記載の方法。
【請求項６】
前記蓄積する工程が前記データ列を記録することを含む、請求項３、４又は５記載の方法。
【請求項７】
前記供給する工程が予測された認知能力をディスプレー、データファイル、アンテナおよび印刷装置のうち少なくとも１つに出力する、請求項３、４、５又は６記載の方法。
【請求項８】
前記選択する工程が覚醒関数、睡眠関数および睡眠惰性関数からなる群から関数を選択する、請求項３、４、５、６又は７記載の方法。
【請求項９】
前記選択する工程が覚醒関数、睡眠関数、遅延関数および睡眠惰性関数からなる群から関数を選択する、請求項３、４、５、６又は７記載の方法。
【請求項１０】
個人の実際の認知能力レベルを求めるために認知能力試験を行い、
前記認知能力試験の結果に基づいて認知能力レベルを調整することを更に含む、請求項３、４、５、６、７、８又は９記載の方法。
【請求項１１】
認知能力レベルを求めるのに使用される重みを調整することを更に含む、請求項３、４、５、６、７、８、９又は１０記載の方法。
【請求項１２】
変調された値を記憶し、
前記データ列の各データ点について選択、決定、変調、送信および記憶の各工程を繰り返すことを更に含む、請求項３、４、５、６、７、８、９、１０又は１１記載の方法。
【請求項１３】
２４時間の周期を持つ曲線を表す１日の中での時刻の一連の値から１日の中での時刻が選択される、請求項３、４、５、６、７、８、９、１０、１１又は１２記載の方法。
【請求項１４】
請求項３、４、５、６、７、８、９、１０、１１、１２又は１３項に挙げた方法を行うプロセスを実行するためのコンピュータシステムで読み取り可能な搬送波内に実現されたデータ信号と符号化命令。
【請求項１５】
請求項３、４、５、６、７、８、９、１０、１１、１２又は１３記載に挙げた方法を行うためのコンピュータで実行可能な命令を持つコンピュータで読み取り可能な媒体。
【請求項１６】
認知能力レベルを求めるためのアクティグラフ内の方法であって、
複数のエポックの各々について運動を表すものを記録し、
運動を表すものを解析してエポックの各々を睡眠および覚醒の少なくとも１つとして識別し、少なくとも１つの睡眠状態と少なくとも１つの覚醒状態データ列を形成し、
前記データ列に基づいて関数を選択し、
選択された関数に基づいて認知能力容量を計算し、
仕事情報を受け取り、
少なくとも前記仕事情報に基づいて仕事値を求め、
１日の中での時刻の値と仕事値で認知能力容量を変調し、かつ
変調された値を認知能力レベルとして供給することを含んでなることを特徴とする、方法。
【請求項１７】
両変調工程の後で認知能力レベルを記憶し、
前記データ列の各データ点について解析、選択、計算、変調、受信、決定、供給および記憶の各工程を繰り返すことを更に含む、請求項１６記載の方法。
【請求項１８】
認知能力レベルを記憶し、かつ
データ列の各データ点について解析、選択、計算、変調、供給および記憶の各工程を繰り返すことを更に含む、請求項１６又は１７記載の方法。
【請求項１９】
前記供給する工程が予測された認知能力をディスプレー、データファイル、アンテナおよび印刷装置のうち少なくとも１つに出力する、請求項１６、１７又は１８記載の方法。
【請求項２０】
２４時間の周期を持つ曲線を表す１日の中での時刻の一連の値から１日の中での時刻が選択される、請求項１６、１７、１８又は１９記載の方法。
【請求項２１】
選択する工程が覚醒関数、睡眠関数および睡眠惰性関数からなる群から関数を選択する請求項１６、１７、１８、１９又は２０記載の方法。
【請求項２２】
選択する工程が覚醒関数、睡眠関数、遅延関数および睡眠惰性関数からなる群から関数を選択する、請求項１６、１７、１８、１９又は２０記載の方法。
【請求項２３】
変調工程が変調される値を１日の中での時刻で変調する、請求項１６ないし２２のいずれか１項に記載の方法。
【請求項２４】
認知能力試験を行うことを更に含む、請求項１６ないし２３いずれか１項に記載の方法。
【請求項２５】
請求項１６ないし２４いずれか１項に挙げた方法を行うプロセスを実行するためのコンピュータシステムで読み取り可能な搬送波内に実現されたデータ信号と符号化命令。
【請求項２６】
請求項１６ないし２４いずれか１項に挙げた方法を行うためのコンピュータで実行可能な命令を持つコンピュータで読み取り可能な媒体。
【請求項２７】
アクティグラフからの情報を利用する方法であって、
前記アクティグラフからデータを受け取り、
前記データに基づいて関数を選択し、
前記選択された関数に基づいて認知能力容量を計算し、
前記アクティグラフを装着した個人の仕事情報を受け取り、
少なくとも前記受け取った仕事情報に基づいて仕事値を求め、
１日の中での時刻の値と仕事値で認知能力容量を変調し、かつ
変調された値を認知能力レベルとして供給することを含んでなることを特徴とする、方法。
【請求項２８】
認知能力レベルを記憶し、かつ
データ列の各データ点について選択、計算、変調、受信、決定、供給および記憶の各工程を繰り返すことを更に含む、請求項２７記載の方法。
【請求項２９】
認知能力レベルを記憶し、かつ
データ列の各データ点について選択、計算、変調、供給および記憶の各工程を繰り返すことを更に含む、請求項２７記載の方法。
【請求項３０】
前記供給する工程が予測された認知能力をディスプレー、データファイルおよび印刷装置のうち少なくとも１つに出力する、請求項２７ないし２９いずれか１項に記載の方法。
【請求項３１】
２４時間の周期を持つ曲線を表す１日の中での時刻の一連の値から１日の中での時刻の値が選択される、請求項２７ないし３０いずれか１項に記載の方法。
【請求項３２】
前記選択する工程が覚醒関数、睡眠関数、遅延関数および睡眠惰性関数からなる群から関数を選択する、請求項２７ないし３１いずれか１項に記載の方法。
【請求項３３】
前記変調工程が変調される値を１日の中での時刻の値で変調する、請求項２７ないし３２いずれか１項に記載の方法。
【請求項３４】
認知能力試験を行うことを更に含む、請求項２７ないし３３いずれか１項に記載の方法。
【請求項３５】
請求項２７ないし３４いずれか１項に挙げた方法を行うプロセスを実行するためのコンピュータシステムで読み取り可能な搬送波内に実現されたデータ信号と符号化命令。
【請求項３６】
請求項２７ないし３４いずれか１項に挙げた方法を行うためのコンピュータで実行可能な命令を持つコンピュータで読み取り可能な媒体。
【請求項３７】
少なくとも１つの認知能力レベルを予測する方法であって、
複数のアクティグラフからデータを受け取り、
データを供給するアクティグラフを装着した各個人の仕事情報を受け取り、
各データに基づいて少なくとも１つのアクティグラフの少なくとも１点のデータについて関数を選択し、
選択された関数を使用して少なくとも１つのアクティグラフについて認知能力容量を計算し、
受け取った仕事情報に基づいて少なくとも１つのアクティグラフと結びついた少なくとも１人の個人について仕事値を求め、
１日の中での時刻と仕事値で認知能力容量を変調して、少なくとも１つのアクティグラフについて認知能力レベルを生成して認知能力レベルを供給し、かつ
少なくとも１つのアクティグラフについて認知能力レベルをディスプレーに表示することを含んでなることを特徴とする、方法。
【請求項３８】
生成された各認知能力レベルを記録することを更に含む、請求項３７記載の方法。
【請求項３９】
少なくとも１つのアクティグラフの少なくとも２点のデータ点について受信、選択、計算、変調、受信、決定および表示の各工程を繰り返すことを更に含む、請求項３７又は３８記載の方法。
【請求項４０】
認知能力レベルを記憶し、かつ
少なくとも１つのアクティグラフの少なくとも２点のデータについて受信、選択、計算、変調、表示および記憶の各工程を繰り返すことを更に含む、請求項３７ないし３９いずれか１項に記載の方法。
【請求項４１】
２４時間の周期を持つ曲線を表す１日の中での時刻の一連の値から１日の中での時刻の値が選択される、請求項３７ないし４０いずれか１項に記載の方法。
【請求項４２】
前記選択工程が覚醒関数、睡眠関数および睡眠惰性関数からなる群から関数を選択する、請求項３７ないし４１いずれか１項に記載の方法。
【請求項４３】
前記選択工程が覚醒関数、睡眠関数、遅延関数および睡眠惰性関数からなる群から関数を選択する、請求項３７ないし４１いずれか１項に記載の方法。
【請求項４４】
請求項３７ないし４３いずれか１項に挙げた方法を行うプロセスを実行するためのコンピュータシステムで読み取り可能な搬送波内に実現されたデータ信号と符号化命令。
【請求項４５】
請求項４７ないし４３いずれか１項に挙げた方法を行うためのコンピュータで実行可能な命令を持つコンピュータで読み取り可能な媒体。
【請求項４６】
少なくとも１つのアクティグラフからのデータを収集して少なくとも１つのアクティグラフの各々について認知能力指数を供給する装置であって、
受信器と、
前記受信器に接続されたデータ解析手段と、
前記受信器に接続された計算器と、
変調データを持つメモリと、
仕事入力と、
前記メモリおよび前記計算器に接続された変調手段と、
前記仕事入力および前記変調手段に接続された決定器と、
前記変調手段に接続された少なくとも１つのディスプレーとを含んでなることを特徴とする、装置。
【請求項４７】
前記変調手段に接続された第２のメモリを更に含む、請求項４６記載の装置。
【請求項４８】
前記データ解析手段が睡眠計測器と関数選択器を含む、請求項４６又は４７記載の装置。
【請求項４９】
前記受信器がアンテナを含む、請求項４６ないし４８いずれか１項に記載の装置。
【請求項５０】
少なくとも１つのアクティグラフからのデータを収集して、少なくとも１つのアクティグラフの各々について認知能力指数を供給する装置であって、
少なくとも１つのアクティグラフからの情報を受け取る手段と、
少なくとも１つのアクティグラフのうち少なくとも１つから受け取った情報に基づいた評価関数を選択する手段と、
少なくとも１つのアクティグラフのうち少なくとも１つについて選択された評価関数を使用して値を計算する手段と、
少なくとも１つのアクティグラフを装着した各個人に関する情報を入力する手段と、
変調データを記憶する手段と、
少なくとも１つのアクティグラフの内少なくとも１つについて対応する変調データで値を変調する手段と、
仕事変調子を決定する手段と、
前記変調手段からの変調された値を、個人の仕事変調子で変調するための第２の変調手段と、
少なくとも１つのアクティグラフの内少なくとも１つについて変調された値を表示する手段とを含んでなり、前記表示手段が個人に対する前記第２の変調手段からの変調された値を表示することを特徴とする、装置。
【請求項５１】
個人の認知能力を予測する装置であって、
アクティグラフと、
前記アクティグラフに接続された睡眠計測器と、
前記睡眠計測器に接続されたデータ解析手段と、
前記解析手段に接続計算器と、
変調データを持つメモリと、
前記メモリおよび前記計算器に接続された変調手段と、
仕事入力と、
前記仕事入力および前記変調手段に接続された決定器と、
前記変調手段に接続されたディスプレーとを含んでなることを特徴とする、装置。
【請求項５２】
前記変調手段に接続された第２のメモリを更に含む、請求項５１記載の装置。
【請求項５３】
前記変調手段に接続された送信器を更に含む、請求項５１又は５２記載の装置。
【請求項５４】
前記計算器に接続された調整手段を更に含む、請求項５１ないし５３いずれか１項に記載の装置。
【請求項５５】
前記調整手段が、
アクティグラフを装着した個人の現在の認知能力を評価する手段と、
新しい認知能力を計算するために使用される認知能力を調整する手段とを含む、請求項５４記載の装置。
【請求項５６】
現在の認知レベルをテストするための手段を更に含む、請求項５４又は５５記載の装置。
【発明の詳細な説明】
【技術分野】
【０００１】
本発明は、個人の認知能力を、好ましくは活動時間と、その個人が装着したアクティグラフから得られた活動データを基礎とするそれまでの睡眠／覚醒履歴と、個人によって遂行される仕事（又は活動）に基づいて予測するシステムに関する。
【背景技術】
【０００２】
任意の労働環境における生産性を維持することは、命令／監督あるいは管理から個々の兵士又は労働者までの全てのレベルにおいて、効果的な認知能力に依存している。効果的な認知能力は一方において、複雑な精神作用に依存する。多くの要因が、認知能力に影響を与えることが示されてきた（例えば薬物や年齢など）。しかし、認知能力の日毎の変化を生じさせる無数の要因の中で、２つの要因が最大の影響を与えることが示された。それは個人のそれまでの睡眠／覚醒履歴および活動時間である。
【０００３】
十分な睡眠は認知能力を維持する。睡眠が不足すると、認知能力は時間とともに低下する。Thorneらによる論文「７２時間におよぶ重労働を課せられた人の能力限界を探る」（軍事システムにおける限界要素としての人に関する第２４回ＤＲＧセミナー記録、Defense and Civil Institute of Environmental Medicine, pp.17-40(1983)）、Newhouseらによる論文「長時間完全に睡眠を妨げられた後の覚醒、認知および気分に対するｄアンフェタミンの影響」（Neuropsychopharmacology, vol.2, pp.153-164(1989)）、およびNewhouseらによる別の論文「長時間睡眠を妨げられた後の能力および挙動に対する覚醒剤の影響：アンフェタミン、ニコチンおよびデプレニルの比較」（Military Psychology, vol.4, pp.207-233(1992)）はすべて、正常な自発的被験者の調査結果を述べたものであり、コンピュータを使用した試験および複雑な動作シミュレーションによって測定された、完全に睡眠を妨げられた状態が継続した場合、認知能力の激しく累積的な低下が見られることを明らかにした。Dingesらは論文「１週間の間１日４〜５時間に睡眠が制限された場合の累積的な睡眠不足、気分の動揺および精神運動的注意力の低下」（Sleep,vol.20,pp.267-277,1997）の中で、毎日の睡眠時間を制約された時間に固定した場合、累積的な睡眠不足もまた認知能力の低下をもたらすことを明らかにした。従って、作業をする場面では、民間および軍隊の両方において、睡眠不足は認知に関わる仕事の生産性（単位時間当たりの有用な仕事の出力）を低下させる。
【０００４】
そこでコンピュータを使用した認知能力試験により、２４時間眠らずにいる状態にあると、完全な睡眠剥奪は人の認知能力を毎回約２５％低下させることが示された。しかし、わずかな時間でも眠ると、睡眠不足による認知能力の低下割合が緩和されることも示された。Belenkyらは論文「連続作戦中の能力維持：米国陸軍の睡眠管理システム」（第２０回軍事科学学会議事録、vol.2,pp.657-661、(1996)）において、２４時間ごとに３０分の仮眠を１回取るだけで、８５時間に及ぶ睡眠剥奪の期間中、認知能力の低下率を１７％まで緩和させることを示した。このことは、睡眠中の認知能力の回復が、睡眠の初期に最も急速に進行することを示している。認知能力の正常な日々の変化に対してこれほど大幅に、また一貫して影響を与える要因は、睡眠の量以外には存在しない。
【０００５】
睡眠／覚醒履歴の他に、任意の時点での個人の認知能力は、活動時間によって決定される。１９５０年代の初頭に、Franz Halbergとその同僚が、人の一連の生理的（体温と身体活動を含む）、血液学的およびホルモン機能の２４時間周期を観察し、この同期のリズムを示す「概日(circadian)」（「ほぼ１日」を意味するラテン語）という言葉を作った。Halbergは、実験データに含まれるノイズのほとんどは、異なる活動時間にサンプリングされたデータを比較した結果生じたものであることを示した。
【０００６】
人が夜間睡眠／日中覚醒サイクル（例えば、ほぼ深夜に就寝し始める８時間睡眠／１６時間覚醒サイクル）に従うと、体温は通常午前２時から午前６時の間に最低（谷）になる。その後体温は上昇し、通常午後８時から午後１０時の間に最高（ピーク）になる。同様に、人の認知能力の１日のリズムの系統的な調査により、反応速度は日中を通してゆっくりと向上し、夜（通常は午後８時から午後１０時の間）に最高になり、その後急速に低下して未明（通常午前２時から午前６時の間）に最低になる。様々な認知能力に関する課題を使った試験において、これと類似しているがそれほど一定していないリズムが示された。従って、各２４時間周期に関する認知能力において、睡眠剥奪が認知能力に与える上記の結果に、約±１０％の変動が加味される。
【０００７】
種々の指標が、認知能力とある程度の相関を持つことが示されている。それらの中には眠気（あるいは反対の覚醒度）の客観的および主観的な指標が含まれる。この分野に詳しい者の中には、「眠気」という言葉を「覚醒度」の反対の意味として使用する者がいる（この文書でもその意味で使用する）。「眠たい状態」が「眠気」と同じ意味に使われることが多いが、この分野に詳しい者の中には「眠気」とは、睡眠を必要とする生理的な状態を意味し、それに対して「眠たい状態」は、眠りに入る傾向又は可能性（生理的な睡眠の必要性とは関係なく）、あるいは覚醒度の不足の自覚症状を意味すると主張する者がある。専門外の人々は「疲労」を「眠気」と同意語として使うが、この分野に詳しい者は、「疲労」を「眠気」と同じ意味には考えず、「疲労」は、睡眠不足が本質的に能力に及ぼす影響以上を網羅した広い概念であると考えている。同様に、「認知能力」は、広範囲の多様なタスクをこなす能力として定義されてきたが、最も一般的には警戒状態におけるタスク（注意の持続を要求する仕事）の意味に使われる。警戒を必要とする仕事およびその他の仕事から、ある研究者達は認知能力を測る指標として正確さを取り、別の人達は反応時間（あるいは、その反対の速度）を取る。また別の人達は速度に正確さを掛け合わせた指標を使用するが、これは単位時間に行われた有用な仕事の量（スループットとも呼ばれる）である。この分野に詳しい者の間には、警戒を要する仕事は睡眠を剥奪された条件の下での認知能力の指標として適切であり、反応時間（又は速度）又は反応時間を考慮した何らかの指標（例えばスループット）は、認知能力を測定する上で有用かつ信頼できる指標であるという点で、一般的な合意がある。
【０００８】
多重睡眠予備期試験（ＭＳＬＴ）は、眠気／覚醒度の客観的な指標として広く受け入れられている。ＭＳＬＴでは、被験者は暗くした静かな寝室に横になって眠ろうとする。睡眠又は覚醒状態にあることを示す様々な生理的指標（眼球の動き、脳の活動、筋肉の緊張）を記録し、ステージ１（軽い）睡眠の最初の３０秒に入るのに要する時間を測定する。ステージ１までの予備期間が短いということは、強い眠気（覚醒度の低さ）を示すと考えられる。予備期間が５分未満の場合は病的（睡眠障害又は睡眠剥奪を示唆する）と考えられる。完全睡眠剥奪と部分的睡眠剥奪のどちらの場合でも、ＭＳＬＴにおける睡眠までの予備期間（覚醒度）および能力が低下する（すなわちＭＳＬＴで測定される眠気が増大する）。しかし、ＭＳＬＴで求められた眠気／覚醒度と認知能力の間には相関がある（ＭＳＬＴで示される強い眠気が低い認知能力に対応する）にもかかわらず、この相関が完全であると示されたことはなく、またそのほとんどにおいて強いものではない。そのため、ＭＳＬＴは認知能力の予測指標としては優れたものではない（信頼性が低い）。
【０００９】
眠気／覚醒度の主観的な指標も、認知能力との相関（弱くはあるが）を持つことが示された。Hoddesらは論文「眠気の数量化：新たなアプローチ」（Psychophysiology,vol.10,pp.431-436（1973））において、眠気／覚醒度の測定に広く利用されている主観的質問票であるスタンフォード眠気スケール（ＳＳＳ）について説明している。ＳＳＳでは、被験者は、現在の自分の眠気／覚醒度のレベルを１から７までで判定し、１は、「活動的で生き生きしていると感じる、注意力がある、完全に目が覚めている」を意味し、７は、「ほとんど夢うつつ、すぐに眠れる、起きていられない」を意味する。ＳＳＳの点数が高いことは眠気が強いことを示す。ＭＳＬＴと同様に、完全睡眠剥奪と部分的睡眠剥奪のどちらの場合でもＳＳＳの点数は増加する。しかし、ＭＳＬＴと同様に、ＳＳＳで求められた眠気／覚醒度と認知能力の低下の相関は弱くて一定していない。従って、ＳＳＳもまた認知能力の予測指標としては優れたものではない。眠気／覚醒度の主観的指標の他の例としては、Johnsが論文「日中の眠気、いびきおよび睡眠時呼吸障害」（Chest,vol.103,pp.20-36（1993））で述べたエプワース眠気スケールと、AkerstedtとGillbergが論文「活動的な個人における主観的および客観的な眠気」（International Journal of Neuroscience,vol.52,pp.29-37（1990））において述べたカロリンスカ眠気スケールがある。これらの主観的な指標と認知能力の間の相関もまた弱くて一定していない。
【００１０】
さらに、認知能力を変化させる要因は、それに対応した影響を眠気／覚醒度の客観的および主観的指標に対して与えない可能性があり、その逆も言える。例えばPenetarらは論文「完全な睡眠剥奪の回復睡眠へのアンフェタミンの影響」（Human Psychopharmacology,vol.6,pp.319-323(1991)）において、睡眠剥奪中、覚醒剤ｄアンフェタミンは認知能力を向上させるが、眠気／覚醒度（ＭＳＬＴで測定されたもの）は向上させないと報告している。同様の研究で、睡眠剥奪対策として与えられたカフェインは、１２時間以上にわたって認知能力を高いレベルに維持し、主観的な眠気、活力および疲労感への影響は、一時的に改善したがその後低下した。Thorneらは論文「７２時間におよぶ重労働を課せられた人の能力限界を探る」（軍事システムにおける限界要素としての人に関する第２４回ＤＲＧセミナー記録、Defense and Civil Institute of Environmental Medicine, pp.17-40(1983)）において、７２時間の睡眠剥奪の間に認知能力がどのように低下し続けたかということ、また一方、主観的な眠気／覚醒度は最初の２４時間を超えると低下したがその後はほぼ一定レベルを保ったことを報告している。認知能力と眠気／覚醒度の指標が常に同じように影響されるのではないというこの知見は、これらが同じものを意味するのではないことを示している。すなわち、眠気／覚醒度という指標は認知能力の予測に利用できず、またその逆も言えるということである。
【００１１】
覚醒度の測定に関する方法と装置は、基本的に５種類に分けられる。すなわち、現在の覚醒度レベルを非強制的にモニターする方法／装置、現在の覚醒度レベルを非強制的にモニターし、覚醒度が低下した場合はユーザーに警告を発しかつ／又はユーザーの覚醒度レベルを高める方法／装置、可能であれば覚醒度が低下した場合はユーザーに警告を発しかつ／又はユーザーの覚醒度レベルを高める装置を備えて、二次的な仕事へのユーザーの反応に基づき、現在の覚醒度レベルをモニターする方法／装置、覚醒度を高める方法、および過去、現在又は未来の覚醒度を予測する方法／装置である。
【００１２】
非強制的に現在の覚醒度レベルをモニターするこれらの方法および装置は、「埋め込み指標」アプローチに基づいている。すなわち、これらの方法は、覚醒度／眠たい状態と相関すると仮定されるいくつかの要因（例えば眼球の位置又は瞼を閉じる）の現在のレベルから、覚醒度／眠たい状態のレベルを推定する。交付されたこのタイプの特許には、瞼の閉鎖と鼻および口の周囲の温度を検出する装置を開示したJ.Clarke, Sr.らの米国特許第5,689,241号明細書、瞼の閉鎖を検出する装置を開示したK. Mannikの米国特許第5,682,144号明細書および眼球の定位および運動を観察して眠気を検出する装置を開示したC. Liangらの米国特許第5,570,698号明細書がある。これらのタイプの方法および装置の明らかに不利な点は、覚醒度のわずかな低下ではなく、睡眠の始まりそのものを検出することである。
【００１３】
いくつかの特許では、覚醒度／眠たい状態の埋め込みモニターによる方法と、覚醒度が低下した場合はユーザーにそれを知らせ、かつ／又は覚醒度を高める方法とが組み合わされている。交付されたこのタイプの特許には、車両の運転者の頭の位置と動きを感知して、現在のデータを「正常」な頭の動きおよび「能力が低下した」頭の動きの分析と比較する装置を説明したP. Kithilの米国特許第5,691,693号明細書がある。警告装置は、頭の動きが何らかの所定の方法で「正常」から外れたときに起動する。R. Gwinらの米国特許第5,585,785号明細書は、車のハンドルを握る全圧力を測定して、握る圧力が眠たい状態を示すある所定の下限よりも低下したときに警報を発する方法および装置について述べている。H. Bangの米国特許第5,568,127号明細書は、警報装置にユーザーの顎が接触したことで眠たい状態を検出して、触覚および聴覚による警報を発する装置について述べている。J. Hobsonらの米国特許第5,566,067号明細書は、瞼の動きを検出する方法および装置について述べている。検出された瞼の動きが所定の閾値から外れると、出力信号／警報（好適には音声）が発せられる。第１の区分の方法および装置と同様に、これらの不利な点も、覚醒度のわずかな低下ではなく睡眠の始まりそのものを検出することであろう。
【００１４】
その他の覚醒度／眠たい状態のモニター装置が、「一次的／二次的課題」的アプローチを基礎として開発された。例えばE. Gozlanらの米国特許第5,595,488号明細書は、関心のある一次的な作業（例えば、運転）をしているユーザーが、その間に反応しなければならない（二次的な作業）聴覚的、視覚的又は感覚的な刺激を与える方法および装置について述べている。二次的な作業の反応が、基準となる反応「注意」レベルと比較される。A. MacLeanの米国特許第5,259,390号明細書は、比較的穏やかな振動刺激に対してユーザーに反応させる装置について述べている。刺激に対する反応速度が、覚醒度レベルの指標として利用される。この装置の不利な点は、この装置が覚醒度を推測するために二次的な作業への反応を要求し、それにより一次的な作業に対して変化又は干渉をもたらす可能性があるという点である。
【００１５】
他の方法はもっぱらユーザーが覚醒度レベルを自己評価して、自分が眠くなっていると感じた時装置を起動するという、ユーザーに依存して覚醒度のレベルを上げるものである。後者の一例であるM. Fukuokaの米国特許第5,647,633号明細書および関連特許は、ユーザーが眠気を検知した場合にユーザーの座席を振動させる方法／装置について述べている。かかる装置の明らかな欠点は、ユーザー自身が現在の覚醒度レベルを正確に自己評価できなければならないことと、ユーザーがこの評価を基に正しく行動できなければならないことである。
【００１６】
覚醒度を修正することが経験的に知られているユーザーによる入力に基づいて、覚醒度レベルを予測する方法も存在する。M. Moore-Edeらの米国特許第5,433,223号明細書は、覚醒度の変化に何らかの関連を持つ様々な要因（「現実」要因と呼ぶ）の数学的な計算に基づいて特定の時刻（過去、現在又は未来の）に個人が持つと考えられる覚醒度レベルを予測する方法について述べている。まず、５点の入力に基づいてその個人の基準覚醒度曲線（ＢＡＣ）が求められ、これが安定した環境で示される最適な覚醒度曲線を表す。次ぎに覚醒度修正刺激によりＢＡＣが修正され、修正基準覚醒度曲線が求められる。従ってこの方法は認知能力ではなく、個人の覚醒度レベルを予測する手段である。
【００１７】
仕事に従事した時間の長さの関数として「仕事に関わる疲労」を予測するために、別の方法が開発された。FletcherとDawsonは、論文「就労時間に基づく仕事に関わる疲労予測モデル」Journal of Occupational Health and Safety, vol.13, 471-485 （1997）で彼らの方法を説明している。このモデルでは単純化した仮定がなされている。つまり、仕事に従事した時間の長さが、目覚めていた時間と正の相関を持つと仮定したのである。この方法を実施するには、ユーザーは実際の又は就業／非就業（仕事／休憩）スケジュールを入力する。このモデルの出力は、「仕事に関わる疲労」を示す点数である。この仕事に関わる疲労を示す点数はいくつかの能力指標と相関していることが示されたが、認知能力そのものの直接的な指標ではない。就業時間と覚醒時間の間に存在すると仮定された関係が壊れる場合、例えばある人が短時間のシフトに従事した後、家で眠るのでなく作業に時間を使ったり、あるいはある人が長時間のシフトに従事した後に家で使える時間全てを睡眠に当てる等の状況では、疲労の点数は正確でなくなることが理解される。この方法はまた、就業／非就業情報を非強制的な記録装置から自動的に抽出するのではなく、ユーザーがその情報を入力しなければならないという点で、強制的である。さらに、このモデルは就業時間に基づいて「疲労」を予測することに限定されている。総じて、このモデルは、シフトの長さが常に睡眠時間と（逆に）相関しているような仕事に関連した状況に限定されている。
【００１８】
認知能力を求める（そして生産性又は効率を判断する）上での睡眠時間と活動時間の重要性と、またほとんどの職業において認知能力に対する要求が高まっていることを考えれば、認知能力のを予測するための信頼性が高くて正確な方法を考案することが望まれる。適切な入力の数を増やせば、認知能力の予測精度が向上することが理解できるであろう。しかし、かかる入力から得られる相対的な利益は、それを収集および入力する負担／コストの増加と比較考慮されなければならない。例えば、ある種の香りが覚醒を強める特性を持っていることが示されたが、これらの効果は一定したものではなく、個人の睡眠／覚醒履歴および活動時間が持つ強い影響と比べれば、無視できるものである。より重要なことは、香りが認知能力に与える影響が理解されていないことである。個人に香りをかいだ記録を取るように要求することは、その個人に無駄な時間を使わせることになり、認知能力を予測する精度に関してはわずかな利益しか得られないであろう。それに加えて、睡眠／覚醒履歴と活動時間が認知能力に与える影響はよく知られているが、覚醒度に影響すると一般に考えられているその他の要因（例えば仕事上のストレス）の影響、それらをどの様に測定するのか（それらの作業上の定義）、およびそれらが作用する方向（認知能力を強化するか、あるいは低下させるか）は、事実上全くわかっていない。
【００１９】
本発明と従来技術の間の重要かつ決定的な相違は、本発明が認知的な要素を持つ仕事に関する能力を予測するモデルであるという点である。それに対して、睡眠および／又は概日リズム（約２４時間）がからむ従来のモデルは、「覚醒度」又は「眠気」の予測を中心とするものであった。後者は認知的仕事を遂行する能力ではなく、睡眠に落ちようとする傾向に特に関連する概念である。
【００２０】
眠気（又はその反対の覚醒度）は、認知能力につながる中間的な変数であると見なすことができるが、科学的な文献は認知能力と覚醒度が概念的に異なることを明確に示している。例えば、Johnsが論文「眠気の評価再考」Sleep Medicine Reviews, vol. 2, pp.3-15 （1998）において検討し、またMitlerらが論文「眠気の試験方法」Behavioral Medicine, vol. 21, pp.171-183（1996）でその問題を検討している。Thomasらは論文「長時間の睡眠剥奪の局所的脳代謝への影響」Neuroimage, vol.7, p.S130（1998）において、１〜３日眠らないと、局所的脳グルコース摂取量で見た脳全体の活動が約６％低下することを報告している。しかし、最も高次の認知機能（注意、警戒、状況の理解、計画、判断および意志決定を含むが、これらに限定されない）を司る領域（異種モード連合皮質）は、３日間眠らずにいた後ははるかに高い程度（最大で５０％）で選択的に非活性化される。従って、睡眠の制限／剥奪の間の神経生物学的機能の低下は、認知能力の低下に直接的に反映される。これらの知見は、より高次の認知機能、特に注意や計画立案等を必要とする課題（異種モード連合野が介在する能力）が特に睡眠不足に影響されやすいことを示した研究結果と一致するものである。他方、一次感覚領域のような脳の領域が非活性化される程度はより低い。それに付随して、これらの領域に依存する能力（例えば視力、聴力、体力および耐久力）は睡眠不足によってほとんど影響されない。
【００２１】
従って、「覚醒度」そのものを予測する装置又は発明（例えばMoore-Edeらのもの）は、任意の時点で眠りに入ろうとする脳の基本的な傾向を、推定に基づいて数量化するものである。つまり、「覚醒度」（あるいはその反対に「眠気」）を予測する装置又は発明は、眠りに入ろうとする傾向の程度を予測するものである。本発明は、その様なアプローチとは異なり、仕事の性質を考慮する。すなわち、予測するのは眠りに入ろうとする傾向ではない。そうではなく、本発明では、睡眠剥奪によって最も影響される脳の領域（脳の異種モード連合野）への依存度に関して、特定の仕事の遂行能力がどの程度損なわれるかを予測するのである。最も望ましい方法では、個人の睡眠／覚醒履歴、活動時間および個人の活動（非活動）に基づいて、信頼性が高く正確な認知能力の推定を行う。
【特許文献１】
米国特許第5,689,241号明細書
【特許文献２】
米国特許第5,682,144号明細書
【特許文献３】
米国特許第5,570,698号明細書
【特許文献４】
米国特許第5,691,693号明細書
【特許文献５】
米国特許第5,585,785号明細書
【特許文献６】
米国特許第5,568,127号明細書
【特許文献７】
米国特許第5,566,067号明細書
【特許文献８】
米国特許第5,595,488号明細書
【特許文献９】
米国特許第5,259,390号明細書
【特許文献１０】
米国特許第5,647,633号明細書
【特許文献１１】
米国特許第5,433,223号明細書
【発明の開示】
【発明が解決しようとする課題】
【００２２】
本発明の１つの目的は、個人の認知能力を予測する正確な方法を提供することである。
別の目的は、将来予想される睡眠／覚醒履歴、活動時間および個人によって遂行される活動が認知能力に与える影響の予測を可能にする方法（前方予測）を提供することである。
別の目的は、個人の睡眠／覚醒履歴と１日の中での時刻に基づいて、考えられる過去の認知能力に対する、過去に遡った分析を可能にする方法を提供することである。
【００２３】
さらに別の目的は、個人および／又は個人のグループについて予測された認知能力の正味の最適値を得るために、利用可能な睡眠／覚醒時間を調整および最適化する方法を提供することである。
【課題を解決するための手段】
【００２４】
本発明の方法は、アクティグラフで個人の活動情報を収集し、睡眠計測システムを使用して、活動情報の解析に基づいて個人の覚醒状態と睡眠状態を表すデータ列を供給し、前記データ列に基づいて関数を選択し、選択された関数に基づいて認知能力容量を計算し、仕事情報を受け取り、少なくとも前記仕事情報に基づいて仕事値を求め、１日の中での時刻の値と仕事値で認知能力容量を変調し、かつ変調された値を予測された認知能力として出力することを特徴とする。
【００２５】
本発明の方法は、認知能力レベルを求めるためのアクティグラフ内の睡眠計測システムシステムを使用してアクティグラフで検出された動きの解析に基づいて個人の覚醒状態と睡眠状態を表すデータ列を蓄積し、データ列に基づいて関数を選択し、選択された関数と以前の認知能力容量に基づいて認知能力容量を求め、認知能力容量を１日の中での時刻の値で変調し、変調された値を供給することを含む。別の実施形態では蓄積工程がデータ列の記録を含むようになされる。
【００２６】
本発明の方法は、認知能力レベルを求めるためのアクティグラフ内の複数のエポックの各々について動きを表すものを記録し、動きの表現を解析してエポックの各々を少なくとも睡眠と覚醒の一方として識別して少なくとも１つの覚醒状態と少なくとも１つの睡眠状態を持つデータ列を形成し、データ列に基づいて関数を選択し、選択された関数に基づいて認知能力容量を算出し、認知能力容量を１日の中での時刻の値で変調し；かつ変調された値を認知能力レベルとして供給することを含む。
【００２７】
本発明の方法は、アクティグラフからの情報を利用するものであって、アクティグラフからデータを受け取り、データに基づいて関数を選択し、選択された関数を使用して認知能力容量を算出し、認知能力容量を１日の中での時刻の値で変調し、そして変調された値を認知能力レベルとして供給することを含む。
本発明の方法は、少なくとも１つの認知能力レベルを予測するものであって、複数のアクティグラフからのデータを受け取り、受け取ったデータに基づいて少なくとも１つのアクティグラフについて少なくとも１つのデータに対して関数を選択し、選択された関数を使用して少なくとも１つのアクティグラフについて認知能力容量を算出し、認知能力容量を１日の中での時刻の値で変調して少なくとも１つのアクティグラフについて認知能力レベルを生成し、そして少なくとも１つのアクティグラフについて認知能力レベルをディスプレーに表示することを含む。
【００２８】
本発明の装置は、少なくとも１つのアクティグラフからのデータを収集して少なくとも１つのアクティグラフの各々について認知能力指標を供給するものであって、受信器と、受信器に接続されたデータ解析手段と、受信器に接続された算出器と、変調データを有するメモリと、メモリおよび算出器に接続された変調手段と、変調手段に接続された少なくとも１つのディスプレーとを含む。
【００２９】
本発明の装置は、少なくとも１つのアクティグラフからのデータを収集して少なくとも１つのアクティグラフの各々について認知能力指標を供給するものであって、少なくとも１つのアクティグラフからの情報を受け取る手段と、少なくとも１つのアクティグラフの内の少なくとも１つについて受け取った情報に基づいて評価関数を選択する手段と、少なくとも１つのアクティグラフのうちの少なくとも１つについて選択された評価関数を使用して値を算出する手段と、変調データを記憶する手段と、少なくとも１つのアクティグラフの内の少なくとも１つについて変調データの内の対応する１つで値を変調する手段と、少なくとも１つのアクティグラフの内の少なくとも１つについて変調されたデータを表示する手段とを含む。
【００３０】
本発明の装置は、個人に対して認知能力を予測するものであって、アクティグラフと、アクティグラフに接続された睡眠計測器と、睡眠計測器に接続されたデータ解析手段と、解析手段に接続された算出器と、変調データを有するメモリと、メモリおよび算出器に接続された変調手段と、変調手段に接続されたディスプレーとを含む。
本発明の１つの特徴は、直接的な人間工学的および経済的な利点を持つ認知能力、すなわち個人の生産性又は効果の高さの指標、の予測を数値的に表すと言うことである。本発明の別の特徴は、認知能力に関して間接的、中間的、推論的あるいは仮説に基づいた付随的な測定／計算を必要とせず、また利用しないということである。後者の例として、覚醒度、眠気、睡眠の開始までの時間、体温および／又は時間と共に変化するその他の生理的指標がある。本発明のさらに別の特徴は、任意の原因による認知能力の一時的又は偶発的な変化について、その原因が睡眠／覚醒履歴にどの様に影響するか（例えば、年齢）および／又は活動時間（例えば、仕事のシフト）の結果として生じる場合に、それを考慮に入れるという点である。実際上、その様な原因は、睡眠／覚醒履歴および／又は活動時間とは独立して認知能力に影響するものとしては扱われず、従って、別個測定、要約およびこの方法のデータとして入力する必要がない。
【００３１】
この方法の暗黙の利点と新規性は、利用する変数を限定していることである点が理解されるであろう。この方法は（経験的に示されてた）最大の予測的価値を持つ要因を、絶えず更新される入力として利用する。そのため、このモデルは単純に実施することができる。「覚醒度」を予測する他のモデルは、多数の入力変数（例えばカフェイン、アルコール摂取、周囲の明るさ／暗さ、日周タイプ）を追跡することをユーザーに要求するものであり、最大の認知能力の変化を説明する要因に基づく標準的で単純化されたモデルへのオプション的な「付属データ」としてこれらの入力を示すのではない。例えば、本発明の方法の一部によれば、認知能力に対する年齢の影響は、睡眠に対する年齢の経験的に導かれた影響を通じて暗黙の形で考慮されている。すなわち、睡眠の質は年齢と共に低下すると言うことである。本来備わっている加齢による睡眠の質の低下によって、個人の年齢がわからなくても、潜在的な形で認知能力の低下が予測できる（この方法では、睡眠の質の低下は認知能力の低下の予測をもたらすから）。したがって、年齢を認知能力予測モデルへの別個の（独立した）入力変数とする必要がない。
【００３２】
本発明はまた別の大きな利点を持つ。例えば、本発明の利点は、経験的な評価を不要にするという点である。
本発明の別の利点は、個人の認知能力の正確な予測が得られることである。この利点は、認知能力に大きな影響を与えることが経験的に示された３つの要因、すなわち（１）個人の睡眠／覚醒履歴と、（２）１日の中での時刻（ここで「日」は夜間と日中の両方を含む２４時間を意味する）および（３）特別の仕事／活動における個人の時間を組み込んだ方法によって達成される。
【００３３】
本発明によって実現する別の利点は、現在の認知能力の正確な予測である。
本発明によって実現する別の利点は、認知能力のリアルタイムの予測が可能だという点である。
本発明によって実現するさらに別の利点は、仮説的な将来の睡眠／覚醒期間に基づいて、将来に予想される１日を通じての認知能力を予測することである。
【００３４】
本発明によって実現する付加的な利点は、与えられた時点での認知能力の過去に遡った分析を行うことである。
本発明のさらなる利点は、標準データを認知能力の予測の基礎にしない（つまり出力用の「ルックアップテーブル」を必要としない）ということで、代わりに各個人の睡眠／覚醒情報、活動時間および仕事を行う時間に直接基づいて計算されるということである。
【００３５】
本発明のさらなる利点は、固定した任務／業務スケジュールに基づいて、個人の将来の睡眠／覚醒スケジュールを最適化するのに利用できるという点である。従来の方法と装置は、仕事のスケジュールおよび／又は任務を、「個人に適合するように」修正することに向けられていた。しかし、ほとんどの場合、仕事のスケジュールおよび／又は任務は固定されている。従って、仕事のスケジュール又を任務を個人に適するように修正することは、現実的でないか又は不可能である。本発明に組み込まれたもっと理にかなったアプローチは、仕事／任務の要求を満たすように、個人が自分の睡眠／覚醒期間を調整することができるようにするものである。したがって、この方法は、仕事から離れている時間によって、あるいは覚醒度のような認知能力の間接的な指標を使って就業時間を規制する代わりに、就業時間を直接的に適用可能な測定量（認知能力）に規制する手段を提供することにより、もっと実際的なものとなる。
【００３６】
本発明の特徴は、個人の睡眠／覚醒履歴と活動時間を、そのまま利用できる、自明のインデックスに変換するグラフィック表現を提供することである。「覚醒度」や「眠気」の予測とは異なり、認知能力の予測はそれ以上の解釈を必要としない。
本発明により、アクティグラフからの情報に基づいて人の認知能力を予測するシステムは、上記の目的を達成し、上記の利点を実現するものである。このシステムは、広範囲の状況および様々なタイプの入力に対して容易に適合する。
【００３７】
本発明のある態様によれば、ある個人の活動がアクティグラフによりモニターされ、活動情報は個人の睡眠／覚醒履歴に変換され、それは処理装置に入力される。処理装置は、睡眠／覚醒履歴の個々のデータを睡眠か覚醒かに分類する。データの分類に基づいて、処理装置は個人の現在の状態に対応する認知能力の容量を選択して計算し、認知能力の容量は活動時間値によって修正して、認知能力の容量を予測された認知能力に調整することができる。予測された認知能力は、認知的な課題を遂行する個人の能力を表すものである。予測された認知能力はリアルタイム表示又は曲線の一部として表示され、表示されたと考えられる情報と共に印刷され、および／又は後の検索および利用のために保存することができる。認知能力の容量の計算は、眠っていることと起きていることの相互関係が認知能力に及ぼす影響をモデル化する機能を基礎として行われる。活動時間関数は、個人の概日リズムが認知能力に及ぼす影響をモデル化する。
【００３８】
本発明の基礎となる方法によれば、この方法は、様々な種類の装置を使って実現できる。可能な装置の実施形態の例としては、専用装置又はコンピュータ内蔵の装置としての電子的なハードウェア、コンピュータで利用できるようにコンピュータでの読み取り可能な形に実現されたソフトウェア、メモリ又はコンピュータ利用のためのプログラムチップあるいは専用装置に内蔵されたソフトウェア、あるいはハードウェアとソフトウェアの両方を組み合わせたものが含まれる。専用装置は、専用装置の目的を補完するもっと大きな装置の一部であっても良い。
【発明を実施するための最良の形態】
【００３９】
本発明の好適な実施形態を示す添付の図面を参照して、以下本発明を詳細に説明する。ただし本発明は他の多くの形態で実施することが可能であり、ここに示す実施形態によって制限されると見なすべきではない。これらの実施形態は本開示を十全たらしめ、当業者に本発明の範囲を十分に伝えるためのものである。以下、本発明の好適な実施形態を示す添付の図面を参照して本発明をより詳細に説明する。本明細書全体を通して、類似の番号は類似の要素を示す。
【００４０】
当業者であれば理解できるように、本発明は方法、データ処理システム、あるいはコンピュータプログラム製品として実施可能である。本発明は完全にハードウェアとしての実施、完全にソフトウェアとしての実施、あるいはソフトウェアとハードウェアの両側面を組み合わせた実施の形態をとることが可能である。更にまた本発明は、媒体内に実現されたコンピュータで利用可能なプログラムコードを有するコンピュータが利用可能な記憶媒体上のコンピュータプログラム製品の形を取ることもできる。ハードディスク、ＣＤ−ＲＯＭ、光学記憶装置又は磁気記憶装置を含むコンピュータで読み取り可能な任意の適切な媒体を使用することができる。
【００４１】
本発明の動作を実行するためのコンピュータプログラムコードは、ＪＡＶＡ（Ｒ）、Ｓｍａｌｌｔａｌｋ又はＣ＋＋のようなオブジェクト指向プログラミング言語で書くことができる。しかし本発明の動作を実行するためのコンピュータプログラムコードは、Ｃプログラミング言語のような従来の手続き型プログラミング言語で書くこともできる。
プログラムコードはスタンドアローンのソフトウェアパッケージとしてユーザーのコンピュータ上で、又は離れたコンピュータ上で完全に実行することもでき、あるいは部分的にユーザーのコンピュータ上でまた部分的に離れたコンピュータ上で実行することも可能である。後者の場合、離れたコンピュータはＬＡＮ又はＷＡＮ（インターネット）を介してユーザーのコンピュータに直接接続することができ、あるいは外部コンピュータを介して間接的に接続してもよい（例えばインターネットサービスプロバイダを利用してインターネットを介して）。本発明はパソコン、ＰＡＬ装置、パーソナルディジタルアシスタント（ＰＤＡ）、ｅブックその他のハンドヘルド又はウェアラブルコンピュータ機器（Ｐａｌｍ ＯＳ、Ｗｉｎｄｏｗｓ(登録商標) ＣＥ、ＥＰＯＣ、あるいは３Ｃｏｍ社のＲａｚｏｒやＩＢＭとＩｎｔｅｌを含むコンソーシアムのＢｌｕｅｔｏｏｔｈというコードネームを持つ次世代の製品を組み込んだもの）、又は特定用途向け集積回路（ＡＳＩＣ）を持つ特定用途の装置のようなスタンドアローン装置上に常駐するソフトウェアとして実現することができる。
【００４２】
以下本発明の実施形態による方法、装置（システム）およびコンピュータプログラム製品を示すフローチャートを参照して本発明を説明する。フローチャートの各ブロックおよびフローチャートの複数ブロックの組み合わせは、コンピュータプログラムの命令によって実現できることが理解されるであろう。これらのコンピュータプログラムの命令を、汎用コンピュータ、特殊用途のコンピュータ、又はその他のプログラマブルデータ処理装置のプロセッサーに供給し、コンピュータ又はその他のプログラマブルデータ処理装置のプロセッサーを介して実行する命令が、フローチャートの１つ又は複数のブロック内に指定された機能を実現する手段を作るようにすることができる。
【００４３】
これらのコンピュータプログラムの命令は、コンピュータ又はその他のプログラマブルデータ処理装置に特定の仕方で機能するように指示して、コンピュータで読み取り可能なメモリに記憶された命令が、フローチャートの１つ又は複数のブロック内に指定された機能を実現する命令手段を含む製造品目を生成するように、コンピュータで読み取り可能なメモリ内に記憶しても良い。ソフトウェアを使用するために記憶する方法は、例えば以下のようである：ランダムアクセスメモリ（ＲＡＭ）内、読み取り専用メモリ（ＲＯＭ）内、ハードドライブ、ディスク、コンパクトディスク、パンチカード、テープその他のコンピュータで読み取り可能な材料の記憶装置上、ネットワーク、コンピュータ、イントラネット、インターネット、Ａｂｉｌｅｎｅプロジェクトその他の上の仮想メモリ内；光学的記憶装置上、磁気記憶装置上、および／又はＥＰＲＯＭ上。
【００４４】
コンピュータプログラムの命令はまた、コンピュータ又はその他のプログラマブルデータ処理装置上にロードし、一連の動作工程をコンピュータ又はその他のプログラマブルデータ処理装置上で実行してコンピュータで実現されたプロセスを生成し、コンピュータ又はその他のプログラマブルデータ処理装置に上で実行する命令が、フローチャートの１つ又は複数のブロック内に指定された機能を実現ための工程を提供するようにすることができる。
【００４５】
本発明は、任意の時点までの睡眠および覚醒の長さの結果として、またさらに活動時間および特別の個人のための作業負荷の関数として、過去、現在あるいは未来の任意の時点での認知能力を予測する方法に関する。この方法は、個人の認知能力について、数値的な予測を時間の連続関数として計算する。この計算（以下で説明する）は、（１）完全に目覚めている間の認知能力の連続的な低下、（２）睡眠中の認知能力の回復、（３）活動時間中の認知能力の周期的な変化、および（３）活動が生じたかどうか又は如何なる活動が生じたかによる認知能力の変化の間の経験的に導かれた直接的な数学的関係に基づいている。
【００４６】
本発明によれば、任意の時点で予測される認知能力を示す数値が、図１（ａ）−図４（ｂ）に示すように与えられる。図１（ａ）に示すように、予測された認知能力は、科学的に制御された条件下での認知能力の直接的な測定から経験的に導かれた関数を使って、３つの概略の工程で得られた一連の計算および／又は決定の結果と等しい。図２に示す最初の工程では、好ましくは１組の関数を使って図３（ａ）−図３（ｃ）に図示したような認知能力容量のレベルとして示される初期値を計算する。認知能力容量のレベルが計算されると、好ましくは第２の工程で図１（ｂ）でＧ８、また図４（ｂ）でＳ８として表された、事前に計算された活動時間変調子Ｍを計算するか又は使用する。好ましくは第３の工程は図４（ｂ）中でＳ９−Ｓ１０（ｂ）として表す仕事変調子Ｔを計算する。また、第２および第３の工程は交換および／又は組み合わせてもよい。好ましくは第４の工程は、第１ないし第３の工程の結果の数学的な組み合わせで、図１（ａ）のブロック図と図１（ｂ）のグラフとで示される認知能力の予測が得られ、認知能力容量と活動時間変調子の組み合わせを示す。
【００４７】
図２−図４（ｂ）に示すように、認知能力容量のレベルの計算に使われる睡眠／覚醒履歴には、４つの関数が関係する。覚醒関数ｗ（ｔ）は、起きている時間と認知能力の低下の間の経験的に導かれた関係を数量化する。睡眠関数ｓ（ｔ）は、睡眠時間と認知能力の維持および／又は回復の間の経験的に導かれた関係を数量化する。まとまった時間の覚醒又は睡眠期間の間に作用するこれら２つの一次的な関数に加えて、一方の状態から他方の状態への移り変わりの間に短時間に作用する他の２つの関数がある。それは回復遅延関数ｄ（ｔ）と睡眠惰性関数ｉ（ｔ）である。回復遅延関数ｄ（ｔ）は覚醒から睡眠への遷移と認知能力の回復の間の関係を表す。この関数は、図３（ｂ）に示されるように、覚醒に続く睡眠初期の段階で作用する。睡眠惰性関数ｉ（ｔ）は、睡眠から覚醒への遷移と認知能力の間の関係を表す。この関数は、図３（ｃ）に示されるように睡眠後の覚醒状態の初期に作用する。
【００４８】
認知能力に対する活動時間の影響を表す関数は、変調因子Ｍを計算するのに使われる。活動時間関数は、活動時間（２４時間の期間の中での時点）と、図１（ｂ）においてＧ８で示される活動時間中の認知能力の変化との間の経験的に導かれた関係を示す。
仕事／活動が認知能力に与える影響を表す関数は、変調係数Ｔを計算するために使用される。仕事関数は、仕事および／又は活動の遂行が認知能力に及ぼす影響を、好適には例えば特定の仕事および／又は活動にまつわる強度、長さ、複雑さおよび困難さに基づいて記述する。図５は４０時間の完全に睡眠を剥奪された期間の間、２時間ごとに１０分間の精神運動覚醒仕事（ＰＶＴ）試験を行う間の仕事に対する時間の影響を示す。最後の１つを除くＰＶＴの各試験に対して、１つのＰＶＴ試験の１０番目の試行から次のＰＶＴ試験の１番目の試行へと改善が見られた。
【００４９】
図１（ｂ）で乗算として示される数学的演算を使って、第１、第２および第３の工程からの結果を組み合わせて、第４の工程における単一の予測認知能力曲線Ｅとした。
好適な実施形態を使用して、認知能力の予測値Ｅは理論的には指数レベル１２０に達する可能性があるが、それは認知能力容量Ｃが指数レベル１００（すなわち認知能力容量Ｃがその間に完全に回復した睡眠期間から目覚めて２０分後）であり、同時に１日の中での時刻関数Ｍが頂点の位相にあるときだけである。これは可能ではあるが、実際に起きることは考えにくい。
【００５０】
この方法に対して入力されるデータＳ２は、個人の睡眠／覚醒履歴を表すデータと仕事情報を含む。睡眠／覚醒履歴は、地方時間に基づく時系列又は時間的記録である。相次ぐ期間、間隔又はエポックの各々が、２つの互いに排他的な状態すなわち覚醒か睡眠かを指定する。仕事情報は、個人が活動／仕事において何をしているか又はしていないかに関する一連の情報であり、またそうではなく活動／仕事の強度、長さ、複雑さおよび／又は困難さを仕事情報に含めてもよい。睡眠／覚醒履歴と仕事情報は必ずしも過去に起きたという意味で「歴史的」である必要はなく、例えば仮説的なもの、予想された、理想化された、あるいは想定されたものであっても良い。この方法を予測に利用するためには、後者が特に適切である。
【００５１】
睡眠状態を覚醒状態から識別するために好適な装置は、携帯可能であり、非強制的であり、信頼性があり、しかもその記録が自動的に評価できるようなものである。その様な装置の１つは、身体活動をモニターするアクティグラフである。製造されているアクティグラフには以下のように様々なものがある。ＩＭシステムのアクトトラック（ActTrac）、Mini-Mitter Co., Inc.のアクティウォッチ（Actiwatch）、Cambridge Neurotechnologyのアクティウォッチ（Actiwatch）RおよびAmbulatory Monitoring, Inc.のスリープウォッチ（Sleep Watch）Rである。図９（ａ）−図９（ｂ）は、ウォルターリード陸軍研究所、神経生物学および行動学部で製作されたアクティグラフを示す。図１０（ａ）−図１０（ｃ）は、やはりウォルターリード陸軍研究所、神経生物学および行動学部で製作された第２のアクティグラフを示す。センサー１００と１２０はアクティグラフを装着した個人の運動を検出する。メモリ１１０と１３０はそれぞれセンサー１００と１２０が検出した運動を表すデータを記憶する。アクティグラフは通常は、個人の利き腕でない方の手首に装着されるが、個人の身体の他の部位にも取り付けられる。例えば足首、頭、上腕、胴体あるいはかかとなど。しかしアクティグラフの信頼性と有効性という点では、大多数の研究は、アクティグラフを利き腕でない方の手首に装着した個人に対して行われてきた。アクティグラフをこの様に装着した場合、ポリソムノグラフィーＰＳＧによって得られる標準的なものと比べて、アクティグラフが正確に睡眠および覚醒状態を数量化できることが示された（９０％もの高い信頼性）。
【００５２】
アクティグラフィーのデータを評価する上で最も広く採用されている方法は、Coleらによって開発され、論文「手首装着アクティグラフィーによる睡眠／覚醒の自動識別」（Sleep, vol. 15, pp.461-469(1992)）に述べられたアルゴリズムである。Coleらのアルゴリズム（Cole-Kripkeアルゴリズムとも呼ばれる）のような、良い結果を上げているアクティグラフィーによる睡眠評価アルゴリズムは、通常の（零交差数）アクティグラフと共に使用するものであり、いくつかのアルゴリズムはある閾値よりも高いカウント数の説明を与える。これらのアルゴリズムは単純な睡眠と覚醒の識別を行うことに限定されており、睡眠状態の中での睡眠段階の変化（例えばステージ１からステージ２へ、ステージ２からレム睡眠へ）は識別できない。従って、そのようなアルゴリズムは回復睡眠（ステージ２、３、４およびレム）を非回復睡眠（ステージ１）と区別することはできない。ほとんどのアクティグラフのメーカーは、睡眠評価アルゴリズムを含むアクティグラフによって記録されたデータを解析するコンピュータソフトウェアを提供している。
【００５３】
もっと最近になって、ディジタル信号処理（ＤＳＰ）アクティグラフの開発が始まった。ＤＳＰアクティグラフでは、従来の零交差数あるいは閾値を超えたカウントだけでなく（ただし従来のアクティグラフで得られるこれおよびその他の情報も保持されるが）、はるかに多くの情報が得られるので、異なる睡眠段階を識別する可能性がある。従って、ＤＳＰの睡眠評価システムはCole-Kripkeアルゴリズムの代わりになるだけでなく、それを無意味にしてしまうであろう。ＤＳＰアクティグラフを利用して得た経験的データのＤＳＰデータベースが増加すれば、ＤＳＰ用の睡眠評価システムが開発されるであろう。
【００５４】
自動化されたアクティグラフィー評価のための他のアルゴリズムと方法が、例えば、Jean-Louisら、1996、Sadehら、1989、およびZisapelら、1995などによって開発された。これらの個々の評価システムは、特に、アクティグラフで記録された睡眠障害又は他の医学的な問題を持つ個人の睡眠／覚醒状態を評価するという大きな可能性を持っている。現在利用できる評価システムは、技術的な面、例えば、以前および以後のエポックでの活動のカウントが、どの程度まで現在のエポックの評価に影響するか、また各評価システムの基礎となる数学的原理の変動などに違いがある。当業者であればこの説明を読んで理解できるように、どんなアクティグラフ評価システムも本発明の方法に対する睡眠／覚醒に関する入力データを与えることができる。
【００５５】
睡眠／覚醒履歴は、好適にはデータ列の形を取る。睡眠／覚醒履歴には個人の過去、現在および／又は未来の（予測された）睡眠／覚醒パターンを含むことができる。睡眠／覚醒履歴は、個人が眠っているか目覚めているかという状態を表すもので、複数のエポックに分けられる。各エポックは同じ長さであるが、データの収集に使用される方法と装置の制約および／又は睡眠／覚醒パターンに求められる精度に応じて、任意の長さにすることができる。
【００５６】
認知能力の予測精度は、睡眠／覚醒履歴の入力の精度および個人の睡眠／覚醒状態の解釈に使用される睡眠評価システムに直接関連するものであることが理解されるであろう。精度を低下させる可能性のある１つの原因は、入力エポック又は介在時間の時間的分解能の問題である。すなわち入力エポックが短いほど、時間分解能は高く、またその結果、睡眠／覚醒入力の瞬間から瞬間への精度が高くなる。例えばアクティグラフィーでは、エポックの最も効果的な長さは１分であることが経験によって示されている。精度が悪くなる別の原因は、睡眠と覚醒の識別そのもののあいまいさである。履歴の入力があいまいな場合（つまり眠っているか目覚めているかがはっきりしない場合）、認知能力の予測値の計算をそれぞれの可能な状態（睡眠又は覚醒）について１回づつ、計２回同時に行って、予想される認知能力の可能な範囲を示す２重の出力を得ることになる。睡眠／覚醒履歴に含まれるあいまいさが１つ以上ある場合は、２重出力をさらに分割すればよいと言うことは、当業者であれば理解できるであろう。この方法およびそれを実施する装置には全て、下に示す関数を実行する処理がその１つの要素として含まれる。
【００５７】
本発明の方法は時間と技術的方法に関して制約されない。つまりオンライン／リアルタイムでもオフライン／事後処理でもよく、またこれらの方程式の連続的な形式に対して増分解、反復解又は離散解でもよい。
この方法の好適な実施形態は、時刻ｔにおける認知能力容量の予測値Ｅを、仕事関数Ｔによる１日の中での時刻関数Ｍで現在の認知能力容量Ｃを変調したものとして表現する数学的モデルを含む。これは一般的な記述としては次のような最も単純な形で表記される：
Ｅ＝Ｃ∇Ｍ∇Ｔ                    式１
ここで∇は数学的な演算子を表す。認知能力容量Ｃ、１日の中での時刻関数Ｍおよび仕事関数Ｔは、任意の数学的演算子を使って組み合わせることができる。厳密にどのような演算子が最も望ましいかは、１日の中での時刻関数Ｍおよび／または仕事関数Ｔの形式と性質によって決まる。認知能力容量の予測値Ｅの表現には２つの異なる演算子を使用してもよく、最初の∇は１つの数学的な演算子であり２番目の∇は２番目の数学的な演算子のようにしてもよい。あるいは変調を２段階で行い、２つの項を変調した後でそれで得られた変調された値を３番目の項で変調しても良い。最も好適には下に示す式１ａを使って認知能力容量Ｃ、１日の中での時刻関数Ｍおよび仕事関数Ｔを組み合わせる。
Ｅ＝Ｃ＊Ｍ＊Ｔ                    式１ａ
あるいは、式１ｂを使って認知能力容量Ｃ、１日の中での時刻関数Ｍおよび仕事関数Ｔを組み合わせても良い。
Ｅ＝Ｃ＋Ｍ＋Ｔ                    式１ｂ
認知能力容量Ｃは睡眠／覚醒履歴の関数を表す、すなわち
Ｃ＝ｗ（ｔ）＋ｓ（ｔ）＋ｄ（ｔ）＋ｉ（ｔ）                式２
ここでｗ（ｔ）、ｓ（ｔ）、ｄ（ｔ）およびｉ（ｔ）は時刻ｔにおける覚醒、睡眠、遅延および睡眠惰性関数の瞬間値である。１日の中での時刻関数Ｍは１日の中での時刻の関数を表し、次式のようになる：
Ｍ＝ｍ（ｔ）                  式３
ここでｍ（ｔ）は時刻ｔにおける１日の中での時刻関数の瞬間値である。仕事関数Ｔは、個人が覚醒している時に仕事を行っている、または行っていないことの影響の関数を表す、すなわち
Ｔ＝ｔ（ｔ）                  式４
本発明に適合する上で、それが適切であれば図４（ａ）のＳ１において開始時刻ｔ、初期認知能力容量Ｃおよび最後の遷移ｔLSの初期設定の後に４段階のプロセスを行うことができるが、Ｓ１ではこれらのデータを任意の順序で入力することができる。最初の工程では、図４（ａ）−図４（ｂ）のＳ３〜Ｓ７ｅで表されるように関数ｗ（ｔ）、ｓ（ｔ）、ｄ（ｔ）およびｉ（ｔ）を使って個人の睡眠／覚醒履歴に基づいて、時刻ｔにおける認知能力容量Ｃのレベルを計算できる。２番目の工程では、図４（ｂ）のＳ８で表される１日の中での時刻関数を使って１日の中での時刻変調子Ｍを計算できる。本発明のある態様によれば、１番目の工程の複数回の実行に対して一連のデータ点を時間的な順序で供給するために、２番目の工程を一度行うことができる。３番目の工程では、図４（ｂ）のＳ９ａ〜Ｓ１０ｃで表されるように仕事関数を使用して仕事変調子Ｔを計算できる。４番目の工程では、認知能力容量Ｃ、１日の中での時刻変調子Ｍおよび仕事変調子Ｔの組み合わせから認知能力の予測値Ｅを導くことができ、その結果、認知能力容量Ｃは図４（ｂ）のＳ１１に示すように仕事変調子Ｔで変調された１日の中での時刻変調子Ｍで変調されることになる。
＜第１の工程：認知能力容量Ｃの計算（決定）＞
図２は以下で述べる関数の使い方を模式的に示すフローチャートである。ここで説明する計算の例を図３（ａ）−図３（ｃ）に図式的に示す。図４（ａ）および図４（ｂ）はこの方法における各工程の詳しいフローチャートである。このモデルの好適な実施形態として、ここでは認知能力容量Ｃには、好ましくはゼロから１２０までの全範囲を持つインデックス値が割り当てられている。この応用における範囲は、示された数値的な範囲の終わりの点を含むものと考えられている。ただし、認知能力容量Ｃはそれぞれの応用に応じて、その他の値又は単位、例えば、ゼロから１００までで表すこともできる。
【００５８】
好適な実施形態では、Ｓ７ａからＳ７ｄで示されるように、４つの関数ｗ（ｔ）、ｓ（ｔ）、ｄ（ｔ）およびｉ（ｔ）のうち１つだけが、与えられた任意の時間間隔で作用し、他の関数は式２においてゼロに等しい。関数ｗ（ｔ）とｓ（ｔ）は非遷移的状態を表し、関数ｄ（ｔ）およびｉ（ｔ）は遷移状態を表す。例えば非遷移的状態では、個人が覚醒しているときは関数ｓ（ｔ）がゼロに設定され、個人が眠っているときは関数ｗ（ｔ）がゼロに設定される。同様に、覚醒状態から睡眠状態へ、あるいはその逆に変化している特定の期間は、遷移関数ｄ（ｔ）およびｉ（ｔ）のどちらか一方だけが作用し、その他はゼロに設定される。睡眠と覚醒の間、あるいはその逆の変化が起きると、時間カウンタｔLSがリセットされて現在の状態の継続時間を追跡し、図４（ｂ）に示すように遷移関数ｄ（ｔ）およびｉ（ｔ）に対する決定ルールを求める。
（１）覚醒関数（ｗ（ｔ））
覚醒関数Ｓ７ａは、覚醒している時間の経過による認知能力容量の減退を表す。これは（１）個人が毎晩８時間の睡眠を取れば、ほとんど100%の認知能力が毎日維持されることと、（２）覚醒状態を継続する２４時間ごとに、認知能力が約２５％低下すると思われる、という知見に基づくものである。
【００５９】
Ｓ７ａでは、好適な実施形態では１エポックの長さに等しいｔ−１からｔまでの期間中に起きる認知能力容量の減退の結果として得られた、認知能力容量Ｃの現在値を覚醒関数ｗ（ｔ）により計算する。上で述べたようにこの計算は、Ｓ９における活動時間関数Ｍによる認知能力容量Ｃの変調とは独立に、またそれよりも前に行われる。覚醒関数の一般化された形式は次式で表される。
Ｃw＝ｗ（ｔ）                    式５
ここで覚醒関数ｗ（ｔ）はｔと共に減少する任意の負の値の関数でよい。より好適には、覚醒関数ｗ（ｔ）は一定の割合で低下する能力の一次関数であり、また最も好適には覚醒関数ｗ（ｔ）は時刻ｔにおいて次式のように表される。
ｗ（ｔ）＝Ｃt-1−ｋw                    式５ａ
ここで覚醒している期間は時刻ｔ−１からｔ（エポックの数で）であり、１分間の能力低下がｋwである。従ってｔ−１からｔまでの期間が１分ではなければ、ｋwは適切に調整される。ｋwの全範囲は任意の正の値の実数であり、好適にはｋwは毎分０．００３から０．０３の範囲のインデックスポイントであり、また最も好適にはｋwは１時間当たり約１％のインデックスポイント、つまり毎分０．０１７インデックスポイントである。ｋwの値は、覚醒状態を継続する２４時間ごとに認知能力が約２５インデックスポイント低下することを示す経験的データに基づいている。式４ａを図２および４（ｂ）においてＳ７ａで図示する。認知能力容量の初期インデックスが１００％で、１６時間（９６０分）にわたって毎分０．０１７インデックスポイントの割合で低下する場合の、覚醒関数の例を図３（ａ）に示す。
（２）睡眠関数（ｓ（ｔ））
睡眠関数Ｓ７ｃは、睡眠時間と共に認知能力容量を回復するものである。睡眠関数ｓ（ｔ）は、睡眠による認知能力の回復値は、非線形に蓄積するものであるという経験的な根拠に基づくものである。すなわち、認知能力容量の回復割合は、睡眠の初期には速く、睡眠の継続と共に遅くなる。別のデータによれば、ある時点を過ぎると、それ以上眠っても認知能力にはほとんどあるいは全く貢献せず、回復率はゼロに近づく。つまり、例えば２時間の睡眠が１時間の睡眠の２倍の回復効果を持つわけではないということになる。睡眠関数は、認知能力容量の現在のレベルに依存する割合で認知能力容量を増加させる、つまり認知能力容量の初期値が低いほど回復が速く進行する。言い換えれば、特定の認知能力容量指数に対する接線の傾きが好適には、異なる睡眠期間中に指数がそのレベルに達するたびに水平となる。
【００６０】
例えば、日中完全に（１６時間）覚醒状態にあった後で夜間に眠ると、回復は夜の早い時期に急速に進行する。睡眠期間中に認知能力容量が回復するに従って、回復速度は低下する。睡眠剥奪の後では、初期の認知能力容量は通常の１６時間起きていた後よりもさらに低いが、回復睡眠の初期段階における回復速度はより速い。日常的に部分的な睡眠剥奪が続くと、このように初期の回復速度は速くなっても、各晩の睡眠だけでは認知能力容量が完全には回復しないことがある。
【００６１】
睡眠関数は、個人が時間Ｔ（時刻ｔ−１からｔまで）の間眠っている間に生じる容量の回復結果から導かれる認知能力容量Ｃの現在値を計算する。上で述べたようにこの計算は、活動時間関数Ｍによる認知能力容量Ｃの変調と仕事関数Ｔによるモジュレーションとは独立に、またそれよりも前に行われる。睡眠関数の一般化された形式は次式で表される。
Ｃs＝ｓ（ｔ）                    式６
ここで睡眠関数ｓ（ｔ）はｔと共に増加する任意の正の値の関数でよいが、より好適には、睡眠関数ｓ（ｔ）は指数関数である。これは、睡眠中の認知能力の回復は非線形であり、睡眠の初期に最も速く回復し、睡眠の継続と共に緩やかに遅くなるという経験的なデータに基づくものである。したがって最も好適な睡眠関数は指数関数であり、それは離散的な形式では次式のように表される。
Ｃt＝Ｃt-1＋（１００−Ｃt-1）／ｋs                    式６ａ
ここで睡眠期間はｔ−１からｔ（分）までであり、認知能力容量の最大値は１００インデックスポイントである。Ｃt-1は時刻ｔに先行する期間中の認知能力容量であり、ｋsは回復の時定数である。別の言葉で言えばｋsは、認知能力容量Ｃが曲線の最初の勾配と等しい一定の割合で回復すると仮定した場合に、完全に回復するのに要する時間である。回復の時定数ｋsは部分睡眠剥奪データから経験的に導かれるもので、エポックの長さに基づいて選択される。好適な実施形態によれば、ｋsは任意の正の値の実数である。例えばｋsは長さ１分のエポックに対して１００から１０００までの範囲でよく、より好適には長さ１分のエポックに対して約３００である。ただし、ｋsの最適な値は、少なくとも部分的にはエポックの長さに依存する。式６ａは図２と図４（ｂ）ではＳ７ｃで表してある。認知能力容量の初期レベルを１００インデックスポイントとして、期間は１分でｋs＝３００として、１６時間覚醒していたあとの８時間の睡眠の効果を、図３（ａ）で睡眠関数の例として図示する。
（３）覚醒から睡眠への変化に対する遅延関数ｄ（ｔ）
回復遅延関数ｄ（ｔ）は、睡眠関数からの認知能力容量の回復に遅延が生じた時間の長さを、睡眠の開始時からの期間として示すものである。この期間中に、認知能力容量の覚醒関数による低下が図４（ｂ）においてＳ７ｄで表されるように継続する。睡眠期間の開始時点で、あるいは睡眠からの目覚めの後で、認知能力容量がただちに蓄積するのを防ぐことにより、この遅延時間は認知能力容量の計算Ｓ６ｂを調整する。
【００６２】
回復遅延関数は、睡眠の最初の数分は一般にステージ１の睡眠からなり、これは認知能力容量維持をするほど回復はないことを示す経験的な調査結果に基づくものである。頻繁に目覚めること、すなわちステージ１の睡眠（睡眠の断片化）は、認知能力容量を回復する上での睡眠の効果を大幅に低下させる。これまでに得られているデータによれば、眠りから目覚めた状態、つまりステージ１の睡眠の後で回復睡眠（ステージ２のもっと深い睡眠）に戻るために要する時間は約５分である。もしも長時間の睡眠が中断なしに得られるならば、認知能力容量の回復全体に対して遅延はわずかな相違しかもたらさない。もしも頻繁に目覚めることによって睡眠が中断されると、各目覚めた後の回復の遅延は蓄積され、その結果全睡眠期間中に回復される全認知能力容量を大幅に低下させる。
【００６３】
睡眠関数は、睡眠関数の適用が延期されて遷移的な公式が適用される睡眠期間の長さを規定する。覚醒から睡眠への変化に対する遅延関数の一般的形式は、下記の決定ルールとして表される。
ｄ（ｔ）：ＩＦ（ｔ−ｔLS）≦ｋd
ＴＨＥＮ  Ｃt＝ｄ（ｔ）
ＥＬＳＥ  Ｃt＝ｓ（ｔ）                      式７
ここでＬＳは最後の状態変化を意味し、従って覚醒−睡眠遷移時間ｔLSは、連続する一連の睡眠期間に先行する最後の覚醒期間の時間的長さを表す。この決定ルールは図２と図４（ｂ）で、Ｓ６ｂ、Ｓ７ｃおよびＳ７ｄを合わせたものとして示されている。期間ｋdの間の認知能力容量を計算するには、認知能力容量Ｃtを遷移公式Ｃt＝ｄ（ｔ）によって評価する。時間ｋdが経過すると、Ｃt＝ｓ（ｔ）となる。時間ｋdが終わる前に覚醒状態が起こると、Ｃtは決してｓ（ｔ）に戻らないことに注意されたい。つまり、短い睡眠期間中は睡眠関数が適用されないということである。
【００６４】
ｋdの範囲は好適には０から３０分であり、より好適にはｋdは睡眠によって回復が得られる前の睡眠の開始時刻から測って、約５分に等しいと考えられる。ｄ（ｔ）は好適にはｗ（ｔ）と等しい。当業者であれば、ｋdの長さに影響する要因には様々なものがあることを理解するであろう。従ってより好適な遅延関数は次のように表される。
ｄ（ｔ）：ＩＦ（ｔ−ｔLS）≦５
ＴＨＥＮ  Ｃt＝ｗ（ｔ）
ＥＬＳＥ  Ｃt＝ｓ（ｔ）                    式７ａ
式７ａで表される認知能力容量に対する遅延回復の影響を、図３（ｂ）で詳しく図示する。
当業者であればわかるように、ディジタルアクティグラフの睡眠計測は、ステージ１の睡眠がいつ起きるかを分類できる。そのデータの変換は次にステージ１の睡眠の発生を睡眠／覚醒履歴の覚醒データに変換する。従って睡眠／覚醒履歴がこの変換されたデータに基づいている場合、個人の認知能力容量を求める上で遅延関数ｄ（ｔ）は必要でない。あるいはｋd値を使う代わりに、個人がいつステージ２またはもっと深い睡眠に入ったかに基づいて遅延関数を求めて、ステージ２またはもっと深い睡眠に入ったら睡眠関数ｓ（ｔ）を使用するようにしても良い。
【００６５】
或いは、遅延関数ｄ（ｔ）は、単純に遅延期間の最初での認知レベルＣt、すなわち、ＣtLSを維持するのでも良い。
（４）睡眠から覚醒への変化に対する睡眠惰性関数ｉ（ｔ）
睡眠惰性関数ｉ（ｔ）は、睡眠から目覚めた後の期間中に、顕在的な認知能力容量が現在の実際のレベルよりも低く抑えられた期間を定義する。睡眠惰性関数ｉ（ｔ）は、認知能力は覚醒すると直ちに損なわれるが、覚醒時間の機能で、おおむね改善することを示す経験的データに基づいている。また同時に、睡眠から目覚めた直後に不活性化された、その後数分間の覚醒の間に再活性化される異モード連合皮質（この認知能力を媒介する領域）を示した、陽電子射出断層撮影法による研究結果にも基づいている。すなわち、睡眠中に生じる実際の認知能力の回復は、目覚めてすぐにははっきりしないのである。認知能力容量が、睡眠中に生じる実際の回復を反映したレベルに戻るのに必要な時間は約２０分であることが、データによって示されている。
【００６６】
睡眠惰性遅延値ｋiは、目覚めた後で、顕在的な認知能力容量が睡眠によって回復する認知能力容量のレベルよりも一時的に低く抑えられる可能性のある期間を定義する。この期間中は、初期レベルから、覚醒関数のみによって決定されるレベルまでの橋渡しを遷移的な関数が行う。睡眠から覚醒への変化に対する睡眠惰性関数の一般的な形式は、下記の決定ルールとして表される。
ｉ（ｔ）：ＩＦ（ｔ−ｔLS）＜ｋi
ＴＨＥＮ  Ｃt＝ｉ（ｔ）
ＥＬＳＥ  Ｃt＝ｗ（ｔ）                    式８
ここで睡眠−覚醒遷移時間ｔLSは、連続する一連の覚醒期間に先行する最後の睡眠期間の時間的長さを表す。期間ｋiの間の認知能力容量を計算するには、Ｃtを遷移公式Ｃt＝ｉ（ｔ）によって評価する。時間ｋiが経過すると、Ｃt＝ｗ（ｔ）となる。式８は図２と図４（ｂ）で、Ｓ６ａ、Ｓ７ａおよびＳ７ｂを合わせたものとして示されている。
【００６７】
ｋiの範囲は好適には０から約６０分まで、より好適には１０から２５分、また最も好適には１８から２２分の間である。
睡眠惰性関数ｉ（ｔ）は０からｋiまでの区間にわたる任意の関数であってよく、好適には負の加速を受けた任意の関数である。好適な睡眠惰性関数ｉ（ｔ）は単純な二次方程式である。この関数は好適には、目覚めて直後の認知能力容量を１０％から２５％、またより好適には２５％抑制する。この関数は目覚めてから最初の１０分（またはｋIの約半分）で、抑制された認知能力容量の７５％を回復し、通常は目覚めてから２０分までに抑制された認知能力容量の１００％を回復し、それ以後は覚醒関数が働く。これらの値は、睡眠から覚醒への変化に関する経験的なデータに基づくものである。これらの研究によれば、認知能力は睡眠から目覚めた直後は損なわれているが、この損なわれた分の大部分は目覚めて最初の数分間に解消し、能力が完全に解消するには約２０分を要することが示されている。好適な認知能力容量の２５％の抑制と２０分の回復時間を使用すると、睡眠惰性関数の好適な形式は下記の決定ルールとして表される。
ｉ（ｔ）：  ＩＦ（ｔ−ｔLS）＜２０
ＴＨＥＮ  Ｃt＝Ｃsw＊［０．７５＋０．０２５（ｔ−ｔLS）−（０．０２５（ｔ−ｔLS））2］
ＥＬＳＥ  Ｃt＝ｗ（ｔ）              式８ａ
ここでＣswは睡眠期間の終わりにおける認知能力容量であり、睡眠−覚醒遷移時間ｔLSでの睡眠関数によって計算される。この決定ルールは図２と図４（ｂ）で、Ｓ６ａ、Ｓ７ａおよびＳ７ｂを合わせたものとして示されている。式８ａは初期の抑制が２５％であり、ｋiは２０分に等しく、そして覚醒関数ｗ（ｔ）が効果を発揮するまでの期間を負の加速を受けた勾配が橋渡しをすることを示している。式８ａで表現される認知能力容量に対する睡眠惰性関数ｉ（ｔ）の影響を、図３（ｃ）に図示する。
【００６８】
睡眠惰性関数ｉ（ｔ）の別の変形は、ｋiが１０分に等しく、認知能力容量の初期の低下が１０％とした一次関数である。決定ルールは、下記のようになる。
ｉ（ｔ）：ＩＦ（ｔ−ｔLS）＜１０
ＴＨＥＮ  Ｃt＝Ｃsw＊［０．９＋（ｔ−ｔLS）／１００］
ＥＬＳＥ  Ｃt＝ｗ（ｔ）              式８ｂ
当業者であれば理解できるように、式８ａと７８ｂはｋiの値の変化と認知能力容量の初期的な抑制量に対して調整することができる。
＜第２の工程：活動時間変調子Ｍの計算＞
（１）活動時間関数ｍ（ｔ）
図４（ｂ）でＳ８として示された活動時間関数ｍ（ｔ）は、認知能力の２４時間周期の変化を表すものである。活動時間関数ｍ（ｔ）は、一定の日常的な状態および／又は完全な睡眠剥奪状態（すなわち睡眠／覚醒履歴が管理された状態）では、認知能力容量は２４時間の期間にわたってピーク−ピークで約５％から約２０％の間で変動することを示す経験的なデータに基づいている。この結果は、一般に、個人の概日リズムが原因であるとされる。この関数の出力が、活動時間に応じて現在の認知能力容量予測Ｃ（第１の工程で計算された値）を変調する。この変調の結果が、予測された認知能力容量Ｅである。時刻関数の一般化された形式は以下のように表される。
Ｍ＝ｍ（ｔ）                    式９
ここでｍ（ｔ）は基本周期２４時間の任意の周期関数であり、好適にはｍ（ｔ）は２つの正弦関数の和であり、その１つは周期２４時間のもの、もう１つは二段階の概日周期を構成する１２時間周期のものである。この関数は、認知能力の測定において見られる大きな変動は、このような２つの正弦曲線波形によって説明できることを示す経験的なデータに基づいている。前に述べたように、経験的に観察される認知能力容量におけるピークは通常午後８時から午後１０時の間に起きるもので、午前２時から午前６時の間に谷が生じて、毎日約５％から約２０％の変動が生じる。二番目の谷は通常午後３時頃に起きる。関数ｍ（ｔ）の好適な形式に対してこれらの値を使用すると、その結果得られる関数により、昼間に低下する、経験的に示される認知能力の日周期リズムの非対称性が説明される。
【００６９】
関数ｍ（ｔ）の記述形式は、そのオフセットと振幅値を含めて、第３の工程で選択される演算子により変化する。この関数の計算値は、認知能力の付加的なパーセント値（認知能力容量Ｃtの現在値に従属するか又は独立）か、あるいは乗法無次元スカラー量として表現できる。この関数の好適な形式は、乗法演算子を使用して以下のように表せる。
ｍ（ｔ）＝Ｆ＋（Ａ1＊ｃｏｓ（２π（ｔ−Ｖ1）／Ｐ1）＋Ａ2＊ｃｏｓ（２π（ｔ−Ｖ2）／Ｐ2））                    式９ａ
ここでＦはオフセットであり、ｔは活動時間、Ｐ1とＰ2は２つの正弦関数の周期であり、Ｖ1とＶ2は深夜過ぎのピーク時刻を時間又はエポック単位で表し、Ａ1とＡ2はそれらの余弦曲線の振幅である。この関数を使って、前に計算された認知能力容量Ｃを変調することができ、その結果が認知能力容量の予測値Ｅとなる。式９ａを図１（ａ）と図４（ｂ）でＳ８として示し、図１（ｂ）でＧ８として図示する。図４（ｂ）に示すように、ｔはデータの各エポックに対する活動時間関数ｍ（ｔ）の入力である。
【００７０】
例えば、ある好適な実施形態において、変数を以下のように設定できる。ｔは深夜過ぎの時間を分で表したもの、Ｐ1は１４４０分、Ｐ2は７２０分、Ｖ1は１２２５、そしてＶ2は５６０である。さらにＡ1とＡ2がスカラーとして表される場合、それらの振幅は０から１の範囲であり、好適には０．０１から０．２の範囲であり、最も好適にはＡ1は０．０８２でありＡ2は０．０３６である。さらにこの例において、Ｆは０又は１であり、より好適にはＦは１である。その結果この例における活動時間関数ｍ（ｔ）の値は０から２の範囲となり、好適には０．８から１．２の範囲であり、最も好適には０．９２から１．１２の範囲となる。
【００７１】
上で述べたように、第２の工程は例えばリアルタイムで進行中に行ってもよいし、また第１の工程の前に事前に計算しておいても良い。
＜第３の工程：仕事変調子Ｔ上の時刻の計算＞
好適な実施形態では、個人が覚醒している任意の期間中に２つの関数ｇ（ｔ）およびｈ（ｔ）のうち１つだけが作動し、他の関数はゼロに等しい。しかし個人が眠っているときは、関数ｇ（ｔ）およびｈ（ｔ）は両方とも図４（ｂ）のＳ９ａ〜Ｓ１０ｃで示されるように１に等しい（式１２）か、またはゼロに等しい（式１２ａ）。関数の選択は好適にはＳ９ｂ〜Ｓ１０ｂに示されるように個人が仕事を遂行しているか否か、およびＳ９ａおよびＳ１０ｃに示されるように個人が覚醒しているかどうかに基づいて行われる。その場合仕事変調子上の時刻は、図４（ｂ）に示すように分岐して行うのではなく、Ｓ７ａおよびＳ７ｂの工程の前（図８（ａ）に示すように）または後で計算することができる。
（１）休息関数ｇ（ｔ）
休息関数ｇ（ｔ）を図４（ｂ）のＳ１０ａに示す。休息関数ｇ（ｔ）は仕事および／または活動の合間に個人が休息をとってリラックスすることにより認知能力容量が回復することを表す。休息関数ｇ（ｔ）は好適には、上で睡眠関数ｓ（ｔ）に関して述べた睡眠中に起きるのと同じ回復の量を与えない。休息関数の一般的な形式は次式で表される：
ｔ（ｔ）＝ｇ（ｔ）                  式１０
ここでｇ（ｔ）は正の値を持つ任意の関数であってよい。あるいは休息関数ｇ（ｔ）を次式で表すこともできる：
ｇ（ｔ）＝ｚ＊ｓ（ｔ）              式１０ａ
ここでｚは好適には０から１までの範囲のスカラーであり、ｔLSが好適には休息および／または非活動期間の長さを表す。
（２）仕事関数ｈ（ｔ）
仕事関数ｈ（ｔ）は個人が仕事（単数または複数）および／または活動（単数または複数）を遂行することによる認知能力容量の低下を表す。Ｓ１０ｂでは、仕事関数ｈ（ｔ）は時刻ｔ−１からｔまでの期間中に起きる認知能力容量の低下によって生じる仕事変調子Ｔを計算するが、この期間は好適な実施形態では１つのエポックの長さとなる。仕事関数の一般的な形式は次式で表される：
ｔ（ｔ）＝ｈ（ｔ）                  式１１
ここでｈ（ｔ）はｔとともに減少する負の値を持つ任意の関数であってよい。より好適には、仕事関数ｈ（ｔ）は一定の割合で低下する能力の線形関数である。あるいは仕事関数ｈ（ｔ）は例えば仕事を遂行しおよび／または活動を行う時間が長いほど低下の割合が大きくなる指数関数であってもよい。更に別の形態では、仕事のタイプ、つまり困難さ、複雑さおよび／または強度がエポック当たりの低下率に影響を与える。仕事の困難さ、複雑さおよび／または強度が高くなるほどエポック当たりの低下率が大きくなる。
【００７２】
あるいは、休息関数と仕事関数の両方または一方だけが１日の中での時刻変調子Ｍによって影響されて、認知能力容量Ｃと１日の中での時刻変調子Ｍによって変調される前に、仕事変調子Ｔが１日の中での時刻変調子Ｍで表される１日の中での時刻に基づいて変調されるようにしてもよい。更に別の形態では、上記の式１、１ａおよび１ｂにおいて１日の中での時刻変調子Ｍを２度使用する。
（３）睡眠関数
個人が寝ているときの仕事関数の一般的な形式は
ｔ（ｔ）＝１                  式１２
ここで変調は乗算によって行われるが、それは仕事関数Ｔが個人の認知能力指数に影響しないからである。あるいは仕事変調子が他の関数に加算される場合は、仕事関数は次式の形を取る。
ｔ（ｔ）＝０                    式１２ａ
＜第４の工程：認知能力の予測値の計算＞
認知能力容量の予測値Ｅを計算する全プロセスを図１（ａ）および図４（ａ）−図４（ｂ）に模式的に示す。活動時間関数Ｍおよび仕事関数Ｔは、個人の睡眠／覚醒履歴から導かれた認知能力容量Ｃを変調して、例えば、図１（ａ）に示す認知能力の最終的な予測値Ｅを与える。第３の工程では、認知能力の予測値Ｅは、認知能力容量Ｃと、活動時間関数Ｍと仕事関数Ｔとの組み合わせから導かれる。その最も一般的な形式は下記のようになる。
Ｅ＝Ｃ∇Ｍ∇Ｔ                    式１
ここで∇は認知能力容量Ｃと、活動時間関数Ｍと仕事関数Ｔとを結合する任意の数学的演算子である。この結合を行う演算子としては通常は加算又は乗算が選ばれる。上で選ばれた活動時間関数ｍ（ｔ）と仕事関数Ｔの形式によって、どちらの演算子を使っても認知能力の予測値Ｅの同じ数値が得られる。最も好適には、乗算Ｓ１１を使って以下のように結合を行う。
Ｅ＝Ｃ＊Ｍ＊Ｔ                    式１ａ
式１ａでは、認知能力の予測値Ｅは現在の認知能力容量Ｃと、活動時間変調子Ｍと、仕事関数Ｔとの現在値を表す１番を中心とする値を変調したものである。
【００７３】
上で述べたように、認知能力容量Ｃの好適な数値的表現は、特別の個人で得られる認知能力容量のインデックス（パーセント）を表すゼロから１００までの範囲の値である。ただし、ある状況の下では、認知能力容量Ｃの現在値に関する時間の変調のために、認知能力の予測値Ｅは、重要な意味を持って１００を越えることがある。その様な状況の一例としては、１００インデックスレベルの認知能力容量Ｃが得られる睡眠期間が、夜間のピークで（そして睡眠惰性が解消した後に）中断されるというものが挙げられる。或いは、１００％のスケールを維持しながら％表示を用いると、認知能力の予測値Ｅを１００％で頭切りするか、あるいは０から１２０％の範囲を０から１００％までの範囲に縮小しても良い。どちらの方法を選択しても最大値１００％を維持できる。最も考えられる実施方法は、値が１２０％を超えると、１２０％を１００％に縮小してから任意の認知能力の予測値Ｅを１００％に頭切りすることである。
【００７４】
図１に示すように、データに新しいエポックが現れる度にこの方法が繰り返される。この方法の各反復実行ごとに、エポックの長さに等しい１単位の時間を時刻ｔに加算するが、好適には図４（ｂ）に示すカウンタＳ１３の形で行う。
上で述べた好適な実施形態においては、認知能力容量Ｃの活動時間変調子Ｍおよび／または仕事関数Ｔによる変調の前に、睡眠惰性関数ｉ（ｔ）が認知能力容量Ｃに適用される。別の実施形態では、認知能力容量Ｃにではなく認知能力の予測値Ｅに睡眠惰性関数ｉ（ｔ）が適用される。すなわち、活動時間変調子Ｍおよび／または仕事関数Ｔによる認知能力容量Ｃの変調の後で適用する。好適な実施形態がこの別の実施形態よりも良いかどうかを判断するのに十分な知識は実験から得られていない。
【００７５】
さらに上で述べた好適な実施形態においては、睡眠惰性関数ｉ（ｔ）が適用されたときに覚醒関数ｗ（ｔ）はゼロに設定される。さらに別の実施形態では、睡眠惰性関数ｉ（ｔ）と覚醒関数ｗ（ｔ）が同時に適用される。睡眠惰性関数ｉ（ｔ）と覚醒関数ｗ（ｔ）が互いに等しくなるか、又は睡眠惰性関数ｉ（ｔ）が覚醒関数ｗ（ｔ）よりも大きくなると、認知能力容量Ｃは覚醒関数ｗ（ｔ）を使って計算（または決定）される。
【００７６】
好適な実施形態をさらに修正して、図５に示すように、認知容量に影響を与える麻薬その他の要因の効果を説明できるようにすることもできる。好適な実施形態をさらに修正したものでは、例えば活動時間関数Ｍ（ｔ）の２４時間周期を数日の期間にわたって圧縮又は拡大して、調整されたスケジュールに活動時間関数Ｍ（ｔ）を再調整することにより、ジェットラグその他の時間をずらす事象を含めることができる。
【００７７】
好適な実施形態を変更して、個人に対してテストを行うことを含めることにより、一定の時間間隔で追加のデータを収集して、試験結果を反映するように現在の認知能力指数を調整するようにしてもよい。使用するテストはＰＶＴ試験または類似の反応時間測定試験であってよい。テストの時点での現在の認知能力指数が次に、好適には各式との関連で上に述べた各変数の重みとともに調整され、特定の個人の回復および／または認知能力容量の低下を反映するように方法および／または装置が微調整されるようにする。
【００７８】
別の実施形態は、好適な実施形態から第３の工程を無くしたものである。ここで述べた他の代替実施形態と同様、この代替実施形態も他の代替実施形態と様々な形で組み合わせることができる。
＜方法の実施＞
好適な実施形態では、ソフトウェアとして実現され、個人の認知能力の現在の状態をリアルタイムに与えおよび必要に応じて認知能力容量を提供して未来の認知能力レベルを推測する。好適な実施形態においてソフトウェアが行う各工程を示すフローチャートを図４（ａ）−図４（ｂ）に、また後で述べる別の実施形態の場合を図８（ａ）−図８（ｂ）に示す。このソフトウェアはコンピュータプログラム、又はその他の電子機器制御プログラム又はオペレーティングシステムとして実現できる。ソフトウェアは、睡眠評価機能を内蔵するアクティグラフならば、個人に装着するアクティグラフに常駐させることができ、あるいはスタンドアローン装置に常駐させることができる。あるいは、ソフトウェアは間隔を置くか又は連続的にアクティグラフと通信を行うスタンドアローン装置に常駐しても良い。スタンドアローン装置はパソコン、ＰＡＬ機器、パーソナルディジタルアシスタント（ＰＤＡ）、ｅブックその他のハンドヘルド又はウェアラブルコンピュータ（パームＯＳ、ウィンドウズ(登録商標)ＣＥ、ＥＰＯＣなどを搭載するもの、又は３ＣｏｍのＲａｚｏｒやＩＢＭとＩｎｔｅｌを含む共同企業体のブルートゥース（Bluetooth）などのコードネームを持つ次世代機器）、又は個人に装着したアクティグラフなどの機器から信号を受け取る特殊目的の機器であってよい。ソフトウェアの常駐場所により、ソフトウェアは例えばランダムアクセスメモリ（ＲＡＭ）、リードオンリーメモリ（ＲＯＭ）、ハードドライブ、ディスク、コンパクトディスク、パンチカード、テープその他のコンピュータによる読み取り可能なイントラネット又はインターネットのようなネットワーク、コンピュータその他の上のバーチャルメモリ、光学的記憶装置、磁気記憶装置、および／又はＥＰＲＯＭに記憶できる。或いはまたソフトウェアは、上で述べた各式において変数を考慮して調整および変更できるようにしてもよい。この能力により、ユーザーは経験的知識に基づいて変数を調整し、また変数間の相互関係を知ることもできる。
【００７９】
ソフトウェアがアクティグラフに常駐するなら、当業者には周知のように、ソフトウェアにより、計算で使用される任意の小数はソフトウェアが適切な倍率をかけられた整数に変換される。整数はさらに誤差が最小になるように近似されて、例えばコール−クリプケ（Cole-Kripke）アルゴリズムの重みづけ係数がそれぞれ２５６、１２８、１２８、１２８、５１２、１２８、１２８となる。線形近似の利用により、ソフトウェアの実施のための二値演算と、それに対応するソフトウェアの実現のためのアセンブリプログラムが単純化される。好適には、活動時間変調子は８ビットの符号なし整数を使用して１時間の工程が２４行となるテーブルとして実現される。中間の工程は、１５分工程を得るために１時間工程から内挿される。この単純化により、利用できるディスプレーに対して十分な解像度が得られる。利用できるディスプレーの解像度が向上すれば、もっと細かい時間的工程が、テーブルおよび／又は活動時間変調子を再現する内挿法に使用されてもよい。利用できるディスプレーの解像度が向上すれば、もっと細かい時間的工程が、テーブルおよび／又は活動時間変調子を再現する内挿法に使用されてもよい。ポインターシステムを使用して、活動時間変調子を計算するための適切なデータを取り込むことができる。非常に多数の要因により、当業者は、乗法的変調を選択して適切なスケールを実現するか、あるいはスピードが問題になるような、それほど複雑ではないがより迅速な評価を必要とする場合は、加法的変調を選択する可能性が高い。加法的変調の主な欠点は、本発明の乗法的変調を使用した場合の誤差が１％であるのに対して誤差が約３％になることである。このシステムは、アクティグラフが初期化されたときに活動時間関数をアップロードすることにより、余弦テーブルを使用して活動時間関数を各エポックごとに余弦テーブルから計算する場合の、繰り返し計算の負担を軽減することができる。
【００８０】
好適な実施形態は、また、図７（ａ）に示すように、スタンドアローン機器アクティグラフ１０の付属部品により実現することもできる。好ましくは適切なスタンドアローン機器には、入力接続、例えばキーボード、データ入力機器あるいは独立のインターフェース又はケーブル／リード線を介して接続されたアクティグラフのような入力機器に物理的に接続された入力ポート（入力手段２０）が含まれる。あるいは物理的な入力接続はテレメトリー、電波、赤外線、ＰＣＳ、ディジタル、携帯電話、あるいは光を利用したシステムを含む無線通信システムで置き換えても良い。無線通信システムは、ケーブル／リード線、プラグイン等の物理的な接続の必要性を無くすという利点があり、これは動く被験者をモニターする場合に特に便利である。本発明のある態様によれば、アクティグラフは無線通信システムを介して外部装置に通信を行い、外部装置はスタンドアローン装置に接続されるようにできる。
【００８１】
アクティグラフ１０は好適には個人の過去、現在および／又は予測される睡眠パターンを含む睡眠履歴を与え、睡眠履歴は図７（ａ）に示す睡眠評価器１５によって解析される。あるいは、アクティグラフ１０からのデータが睡眠／覚醒履歴の形でない場合は、アクティグラフのデータを例えば装置のメーカーが供給するソフトウェアによって解析して、スタンドアローン装置へ入力する前にアクティグラフデータに対する睡眠評価を行う（睡眠評価器１５）。
【００８２】
好ましくは、スタンドアローン装置はさらに、入力データ中の各状態を解析して通常のように睡眠状態か覚醒状態かに分類する解釈手段３０を含む。解釈手段３０はまた入力データの成分に反応して、以下の計算のための関数のうちの少なくとも１つを選択又は生成する、すなわち、１）覚醒関数、２）睡眠関数、３）遅延関数および４）睡眠惰性関数である。解釈手段３０は、適切にプログラムされた集積回路（ＩＣ）によって実現できる。当業者であれば、離散的アナログ回路、ハイブリッドアナログ／ＩＣその他同様の処理素子のようなＩＣと共に、あるいはその代わりに、様々な機器が動作できることを理解するであろう。
【００８３】
好ましくは、スタンドアローン装置はさらに判定手段４０を含む。判定手段４０は、解釈手段のＩＣを適切にプログラムすることによって、あるいは睡眠／覚醒履歴と現在の状態を考慮に入れて認知能力容量を判定し計算する別個にプログラムされたＩＣによって実現できる。
解釈手段３０と判定手段４０を組み合わせて、１つの結合した手段又は装置にすることができる。
【００８４】
計算された認知能力容量は、変調データ列又は好適には活動時間曲線を表す曲線を含む変調データを保存する第１のメモリ領域６０に記憶される。好ましくは、スタンドアローン装置はさらに、データ列又は時間ｔに対する認知能力容量Ｃを表す曲線を生成するためのデータを保存する第２のメモリ５０領域を含む。第１のメモリ６０と第２のメモリ５０は、当業者に周知の任意のメモリー又は記憶方法でよい。第２のメモリ５０は好適には、判定手段４０から得られた値をデータ列又は曲線の最後に追加する手段を提供する先入れ先出しメモリーである。第１のメモリと第２のメモリは組み合わせて、１つのメモリユニットにまとめてもよい。
【００８５】
好ましくは、スタンドアローン装置はまた、別個のＩＣとして、又は前に述べたＩＣの１つとの組み合わせとして、第１のデータ列又は曲線（認知能力容量）を変調データ列又は曲線（活動時間）で変調する変調手段７０を含む。好適には変調は、データ列又は曲線に関する時系列情報のマッチングを取ることで実行されるが、これは好適には最初の睡眠／覚醒状態に関するエポックの数と初期開始時刻によって決定される初期入力データからの時間の長さに基づいて行われる。
【００８６】
スタンドアローン装置にはまた、変調の結果を時間の経過に対して表す変調曲線のプロット、あるいは認知能力の予測値Ｅを表す変調手段７０からの選択された時刻での変調曲線上のある点の数値的な表現を表示するディスプレーを含むことができる。数値的な表現は、自動車の燃料計器と同様の計器の形またはその番号を取ることもできる。ディスプレーの代わりとして、又はそれに加えて、スタンドアローン装置にはプリンタあるいは、変調曲線又はデータ列を印刷および／又は記憶するために外部装置と通信を行う通信ポートを含むことができる。
【００８７】
スタンドアローン装置は、専用のハードウェアを持つ代わりに、ソフトウェアと付随するデータファイルを実行するための記憶スペースと処理能力を備えても良い。この場合、スタンドアローン装置はデスクトップコンピュータ、ノートブックコンピュータ、又は類似の計算機器であってよい。ソフトウェアは、通信ポートを通じて外部ソースから得た睡眠履歴を表すデータの受信を処理して、次ぎに必要な解析とここで述べた方法の処理を実行する。記憶スペースは、少なくとも活動時間曲線と、可能であれば入力データを保存するコンピュータで読み取り可能な形式のメモリでよく、それらのデータは、一時的な利用であれば、コンピュータのランダムアクセスメモリ（ＲＡＭ）に保存しても良い。入力データと、それにより生成された個人の様々な認知能力レベルを示すデータもまた、ＲＡＭで実現されるよりももっと恒久的なメモリ又は記憶装置に保存しても良い。
【００８８】
さらに別の実施態様は、最初のｋdに対して、ある覚醒エポックの後の睡眠エポックの数が覚醒エポックに変更されるように、睡眠／覚醒データのフィルタリングを行う解釈手段３０を備える。本発明において、フィルタリングは様々な方法で実現できる。好適な方法は、図４のＳ３の前に決定工程を追加して、Ｄswが睡眠エポックでしかもｔ−ｔLS≦ｋdであるならば、Ｓ３−Ｓ６ａを飛ばしてＳ７ａを実行するようにすることである。その結果、上記の式６でｄ（ｔ）で表された決定ルールは省略されて、図４（ａ）−図４（ｂ）および図８（ａ）−図８（ｂ）においてＳ６ｂとＳ７ｄが不要となる。
【００８９】
睡眠計測能力を持つアクティグラフへの要素の追加は、上で説明し図７に示したスタンドアローン装置に対するものと同様の要素を持つ。好適には、要素の追加はそれを収納するためのスペースをできるだけ小さくするために１つのＩＣに納め、入力手段２０は例えばアクティグラフ回路へのリード線またはその他の導体となる。ただし要素の追加は１つの電気的要素、例えば１つよりも多くのメモリチップやＩＣを含むことが出来る。要素の追加は認知能力の予測値を、更に解析を行うために遠隔の装置に送信してもよい。
【００９０】
第３の工程を達成するための装置を図７（ｂ）の一部として示す。追加の要素は好適には、キーボード、タッチパッド、ボタンまたは１組のボタン、タッチスクリーンまたは他の類似のメカニズムのような何らかのデータ入力メカニズムを通して手動で供給されるか、または好適にはディジタルアクティグラフであるアクティグラフによって収集されたデータの解析を通して供給される仕事に関する情報を受け取るための仕事入力手段２０’を含む。あるいは仕事入力手段２０’は、入力手段２０の一部かこれと同様のものであってもよい。好適には、仕事入力手段２０’から何を受け取るかに基づいて仕事変調子を計算するための決定手段４０’。決定手段４０’は好適には、仕事変調子の追加の変調を持つ変調手段７０である変調手段７０’と通信関係にある。図７（ａ）との関連で説明した装置のように、図７（ｂ）の様々な要素を１つまたは一連の要素の組み合わせの中に統合することができる。更にまた図７（ａ）および図７（ｂ）に示す要素は、直接接続されずに別々の装置に分かれていてもよい。
【００９１】
上記の方法のリアルタイムでの適合を含む上に述べた代替実施形態は、アクティグラフ内にルーチンを追加して、アクティグラフの較正のためにボタンを押すように個人に指示を行うことによっても実現できる。個人の反応時間に基づいて、その個人の現在の認知能力のレベルを求め、それに応じて上記の各式に調整を行って、個人の最近の活動が決定された認知能力に導くようにする。
【００９２】
ソフトウェアおよび／またはハードウェアは、リアルタイムで動作および機能することが想定される。本発明の目的のためには、リアルタイムとは入力される睡眠／覚醒データの各エポックに対する認知能力レベルの連続的な流れと解析を表すものと理解される。従ってソフトウェアおよび／またはハードウェアは、個人その他に対して、ソフトウェア又はハードウェアに入力された睡眠／覚醒データの最後に入力されたエポックからのデータに基づいて、現在の認知能力レベルを与える。ほとんどの睡眠評価システムは、解析されているエポックのいずれかの側のエポックからのデータに基づいて睡眠／覚醒の判定を行う。従って、ユーザーに情報を提供する上で遅延が生じる。
【００９３】
当業者であればこの説明から理解できるように、ここで述べる方法によって、個々のエポック又はエポックのグループのいずれからのデータの連続的な流れを受け取ることもできる。時間のいくつかのブロックが入力されると、初期の遷移の後に、最初の数個のエポックが適切な遷移関数によって支配され、非遷移関数において適切な時間の熟睡又は完全な覚醒状態が使用されよう。
【００９４】
本発明の１つの特徴として、睡眠／覚醒データは睡眠から覚醒へ、又は覚醒から睡眠への状態変化が起きる時刻を含むことができる。睡眠／覚醒データはまた、個人の覚醒状態の継続時間と、個人の睡眠状態の継続時間を含むこともできる。予測認知能力曲線を作成するためには、睡眠／覚醒データを個々のエポックの列に外挿および／又は展開すればいい。上で説明したように、あるエポックは、所定の時間の長さを表す。従って睡眠／覚醒データは、通常の時間の単位又はエポック単位で表現できる。例えば、睡眠／覚醒データが１０エポックの睡眠と３エポックの覚醒であるならば、認知能力容量の決定においてエポック１から１０までが睡眠状態を表し、エポック１１から１３までが覚醒状態を表すようにすればよい。
【００９５】
本発明のある態様によれば、特定の時刻ｑにおける認知能力の予測値Ｅは、時刻ｑの前又は後の時刻をｒとして、基準点としての時刻ｒでの認知能力の予測値Ｅ又は認知能力容量Ｃを使って求めることができる。この基準点から、時刻ｑとｒとの間で状態に変化があった時点に対する認知能力容量が求められる。
図８（ａ）−図８（ｂ）に示したように、各工程は好適な実施形態とほぼ同じであるが、覚醒関数と睡眠関数に変更が行われ、その結果、変数の定義が注記したことを除いて好適な実施形態と同じものとなる。以下で説明する式と図８（ａ）−図８（ｂ）に示した各工程は、認知能力の初期値が認知能力の所望の値よりも時間的に先行する場合のものである。睡眠／覚醒データの各要素は睡眠又は覚醒として分類される。
【００９６】
睡眠／覚醒データが覚醒状態を表しているならば、仕事関数ｔ（ｔ）の影響が求められる。あるいは、覚醒関数ｗm（ｔ）または睡眠惰性関数ｉ（ｔ）を変調する前に１日の中での時刻関数Ｍで仕事関数ｔ（ｔ）を変調してもよい。次に２つの関数の内のどちらが適合するかを以下の決定ルールに従って選ぶ。
ＩＦΔｔ≦ｋi
ＴＨＥＮ  Ｃt＝ｉ（ｔ）
ＥＬＳＥ  Ｃt＝Ｗm（ｔ）                    式１３
ここでΔｔは現在の状態の継続時間、すなわちｔ−ｔLSを表す。睡眠惰性関数ｉ（ｔ）は、最後の入力データが覚醒状態である場合にのみ期間ｋiよりも短いか又は等しいので使用される。従って好適な実施形態において使用されたものと同じ睡眠惰性関数ｉ（ｔ）が、
仕事関数ｔ（ｔ）によてモジュレートされた後、この別の実施形態においても使用される。修正された覚醒関数Ｗm（ｔ）は、個人が認知能力容量の初期的な抑制から回復した後に、その個人が覚醒前に眠っていた時の最後のエポックの認知能力容量レベルに戻るように、曲線が定式化されたときのｋiの遅延を睡眠惰性関数ｉ（ｔ）が与えると言うことを、考慮に入れている。この遅延を考慮することにより、以下の式が得られる。
Ｗm（ｔ）＝  Ｃt-1−ｋw（Δｔ−ｋi）        式１４
あるいは、修正された覚醒関数ｗm（ｔ）は遅延の無いｗm（ｔ）が睡眠惰性関数ｉ（ｔ）と交差する点から始まってもよい。覚醒関数ｗm（ｔ）はどの代替実施形態においても仕事関数ｔ（ｔ）で変調される。
【００９７】
もしも睡眠／覚醒データが睡眠状態を表すならば、下記の決定ルールに従って、２つの関数の内どちらか適切な方が選択される。
ＩＦΔｔ≦ｋd
ＴＨＥＮ  Ｃt＝ｄ（ｔ）
ＥＬＳＥ  Ｃt＝Ｓm（ｔ）                    式１５
遅延関数ｄ（ｔ）は、期間がｋdよりも短いか又は等しいので、最後の入力データが睡眠状態である場合にのみ使用される。従って好適な実施形態において使用されたものと同じ遅延関数ｄ（ｔ）が、この別の実施形態においても使用される。修正された遅延関数Ｓm（ｔ）はｋdに等しい期間に対して遅延関数を考慮に入れる。遅延関数ｄ（ｔ）を考慮することにより、以下の式が得られる。
Ｓm（ｔ）＝（（Ｃt-1−（ｋw＊ｋd））＋（１００−（１００−Ｃt-1）（１−１／ｋs）Δt-kd）
式１６
ここで式の最初の部分は遅延関数ｄ（ｔ）を表し、２番目の部分は認知能力容量Ｃの回復を表す（Ｓ７ｃ’のｆ（ｔ）部分）。
【００９８】
睡眠／覚醒データの時間成分の加算は、認知能力容量の計算に関して睡眠／覚醒データの各単位データが取り扱われるとき、あるいは最終的な認知能力容量が活動時間関数ｍ（ｔ）で変調される前に行われる。後者の場合を図８（ａ）−図８（ｂ）に示す。新しい認知能力容量Ｃtが計算された後で、現在の単位データが最後の単位データでなければ、本方法は睡眠／覚醒データの次の単位データの処理を繰り返す。最後の単位データの後で、上記の式１に基づいて、また好適な実施形態で詳しく説明したように、認知能力の予測値Ｅが計算される。
【００９９】
あるいは、仕事関数ｔ（ｔ）は図４（ｂ）に示したのと同様の位置にＳ９ｂからＳ１０ｂまでを通じて移動することにより、覚醒状態の各組に対して行う代わりに、１日の中での時刻関数ｍ（ｔ）と同時に含めてもよい。
ここでも、この方法には、仕事関数要素を除去した、一般形式で示した式１から１２に基づくプロセスと計算が含まれることに注意すべきである。実施形態は経験的な知識に応じて該当する変数に関する関数を適用し、その結果として上の説明と図１−図８（ｂ）（ただしこれらに限定されない）で示したようにこれらの式の特定の表現が得られるが、これらは経験的な知識の状態に従って変更又は洗練させることができる。
＜産業への応用＞
本発明には様々な応用の可能性がある。最も単純な応用では、本発明の方法を使用して、様々な理想的な（すなわち寸断されない）夜間睡眠量の認知能力の予測値Ｅへの影響を予測することが出来る。他の実際的な応用は、睡眠時無呼吸症のような睡眠障害、または航空機や列車の騒音のような環境の撹乱によって寸断された睡眠をする個人における認知能力を予測するためにこの方法を使用する。別の実際的な応用ではこの方法を使用して、夜間就労シフトのためにスケジュールを変更する個人の認知能力Ｅを予測する。
【０１００】
別の実施形態では、運転中に衝突／交通事故に巻き込まれた業務用自動車の運転者における認知能力Ｅを遡及的に予測するために本方法を使用する。この応用では、まず最初にこの方法を使用して、その個人の現在の業務および睡眠／覚醒スケジュールに基づいて、ある時間間隔にわたってその個人の認知能力Ｅのレベルを予測する。
別の同様の応用は、業務用自動車の運転者に対してある期間にわたる予測認知能力Ｅを最適化するために、この方法を使用して睡眠および覚醒のスケジュールを変更することである。この例では、先ず運転者の現在の睡眠／覚醒スケジュールに基づいて運転者の予測認知能力Ｅをモデル化する。運転者の現在の睡眠／覚醒スケジュールは、連邦道路管理局（ＦＨＷＡ）の就業時間規制で許される最大の就業時間の付近で作成される。これらの規制によれば、運転者は最大１５時間業務（最大１０時間の運転と最大５時間の運転以外の業務）に従事した後に最小で８時間の非就業時間を持つことが許される。運転者はこの終業／非終了サイクルを、累積就業時間が６０時間に達するまで続けることができるが、その時点で運転者は連続就業を開始してから７日が経過するまで業務から離れなければならない。現行のＦＨＷＡ規制下で許される別の就業スケジュールは、１２時間就業、１２時間非就業というサイクルであるが、これは運転者が非就業の１２時間のうち８時間を睡眠にあてることを前提にしている。本発明を利用することにより、ある期間を通じて運転者の認知能力レベルを最大にできるスケジュールを選択できる。
【０１０１】
本発明を様々な特定の活動との関連で説明してきたが、本発明には他に多くの用途を持っている。認知能力を予測するこの方法は、個人とグループの生産性を管理するための重要な情報を提供する。例えば軍事作戦を立てる場合、司令官はこの方法を使えば、それまでの睡眠履歴および遂行される義務にもとづいて各兵士の認知能力の現在のレベルおよび予測されるレベルを正確に判定することができる。司令官はまた、想定される睡眠／覚醒スケジュールを入力して、これから従事する任務中の兵士の認知能力を予測することもできる。任務の遂行そのもの全体を通じて、後者の認知能力の予測値（最初は想定される睡眠／覚醒スケジュールおよび義務スケジュールに基づいている）を、実際に得た睡眠および個々の兵士により遂行される仕事に従って更新することができる。将来の認知能力を算出する能力により、例えば認知能力が最適になるように任務前後の睡眠／覚醒スケジュールおよび義務スケジュールを計画し、また決定的な時点で、予測された認知能力が最高を示すであろうと予想される部隊又は複数の部隊の組み合わせを選定することにより、司令官は継続的な作戦行動の間の部隊の能力を最適にすることができる。この方法は個人および部隊の両方のレベルで生産性を最大にする  助けとなる。
【０１０２】
本発明は多くの職業分野を網羅する様々な商業的な用途において、出力（生産性）を最適化する目的に使用することができる。本発明によれば、客観的な認知能力の予測に基づく基準に合わせて作業を計画し、また就業時間を規制する能力を、管理者に与えるものである。それに対して従来利用されてきた方法は、非就労時間（睡眠／覚醒パターンおよび仕事の遂行を予測する上では比較的弱い指標であり、したがって認知能力を予測する上でも弱い）によるか、あるいは覚醒状態／眠気の予測（これは前述したように常に認知能力に対応するわけではない）を行うことで、就業時間を規制してきた。本発明は仮説的な睡眠／覚醒および義務シナリオにおいて実行することができ、その様なシナリオの下での認知能力の推定を行う。認知能力を最適化することに一般の人々が関心を持つ限り、様々な用途に使用する可能性がある。
【０１０３】
本発明はまた、必要および／または希望に応じて個人の睡眠／覚醒サイクルを変更しかつ／あるいは個人の認知能力レベルを最適化または最小化するための薬と組み合わせて使用できる。
本発明はまた粒子群集理論／アルゴリズムの概念と連携して作用することが出来る。粒子群集アルゴリズムは、港を通るコンテナーのスループットを最適化し、あるいは与えられた期間にわたって課題を遂行する作業グループ内の労働者達の利用を最適化するために、日常的に利用されている。応用の一例としては、軍隊の司令官が部隊の任務を計画することがある。
【０１０４】
本方法はまた、生物医学的、心理学的、その他（例えば睡眠衛生、光療法など）の治療、あるいは睡眠を改善することが示されている介入法が認知能力に対して及ぼす影響を計測し、評価するためにも利用できる。これらの例としては、明白な睡眠障害、概日リズム障害、その他睡眠の質および／又は長さに影響を与える医学的状態、悪い睡眠衛生状態、時差ぼけ、その他あらゆる睡眠／覚醒問題を抱える患者を含むが、これらに限定されない。現在では睡眠を改善する治療の効果は、夜間の睡眠のポリソムノグラムによるベースライン測定値を表す数値と日中の覚醒度を表す何らかの数値（例えばＭＳＬＴ、覚醒度維持試験（ＭＷＴ）、スタンフォード眠気スケール又はカロリンスカ眠気スケール）を比較して判定するが、同じ数値が治療後にも得られる。治療の有効性と、覚醒期間に能力に与える可能性のある影響の両方が、日中覚醒度試験の結果から推定される。例えば連邦航空局は現在、睡眠時無呼吸症と診断された民間パイロットに対して治療を受けることを要求している。その様な治療の後に、ＭＷＴの修正バージョンで日中覚醒度試験が行われる。ＭＷＴ試験の間、パイロットは暗くした部屋の中で座り心地の良い椅子に座らされて、長時間覚醒状態を維持するように指示される。もしもこの眠りを誘うような条件でパイロットが明らかに眠ってしまわないでいられれば、職務に適していると見なされる。ここで推測されるのは、時間的に不連続な時点で覚醒状態を維持できるという最小限の能力が、航空機を安全に操縦できる能力と解釈される（すなわち覚醒状態にあることが認知能力と等価と考えられている）ということである。しかし睡眠剥奪は明白な睡眠をもたらさなくても、認知能力に影響する可能性があり、特に様々な理由によって個人が覚醒状態を維持するように強く動機づけられている可能性のある覚醒度試験においてはそうである。
【０１０５】
それに対して本方法によれば、活動時間および仕事の遂行との関連で考慮される睡眠パラメータの測定値から、認知能力を直接推定することができる。治療の有効性を評価する上でこの方法が現行の各方法よりも有利な点は、（１）試験されている患者の動機および動機付けレベルは結果（認知能力の判定）に影響を与えない、（２）この方法は時間的に不連続な、特定の時点での覚醒度を示すのではなく、予想される覚醒期間の全体を通じての認知能力の数値的な特定と予測を可能にする、という点である。従ってこの方法は、特定の時刻にＥＥＧで定義された覚醒状態を維持できる患者の能力に基づいて最小限の「職務適合性」のみを判定するのではなく、ある時間にわたっての認知能力を測定する連続的なスケールを提供するのである。
【０１０６】
この方法は、睡眠発作や突発性のＣＮＳ過剰傾眠のような睡眠障害を診断するための補助として、臨床的に使用することもできる。同様に重要なことは、各種の睡眠障害の識別にも利用できるということである。後者は治療の過程において極めて重要であり、最終的な治療の有効性は妥当で信頼性のある診断に依存するのである。例えば、睡眠時無呼吸症と睡眠中の周期的な四肢の動きは、日中の認知能力欠如を伴う夜間の睡眠中断（すなわち部分的な睡眠剥奪）によって特徴づけられる。それに対して、睡眠発作や突発性の過剰傾眠は、夜間は見た目には正常な睡眠を取るが、日中の認知能力欠如を伴う状態によって特徴づけられる。後者の２つのグループにおける夜間の見た目には正常な睡眠に基づいて、本発明は比較的正常な認知能力を予測する。従って、予測された認知能力（本発明による）と観察又は測定された認知能力の間の食い違いを利用して、ある種の睡眠障害を他の種類から区別することが可能である。例えば、睡眠発作、突発性の過剰傾眠あるいはその他のＣＮＳに関連した日中の認知能力欠如の原因（明らかな睡眠障害が見られない場合）を、睡眠時無呼吸症、周期的な四肢の動きその他の日中の認知障害の原因（睡眠の障害が明らかな場合）から、区別することができる。
【０１０７】
特に好ましい実施形態を挙げて本発明を詳しく説明したが、本発明はこれらの実施形態に限定するものではない。特に前記教示に鑑みて、当業者であれば本発明に包含される他の実施態様、実施例および変形例をなすことができよう。
当業者であれば、上で述べた好適な実施形態に対して、様々な変更および修正が、本発明の範囲と趣旨から逸脱することなく行えることを、理解するであろう。従って、本発明はここに具体的に述べた他に、添付の請求内容の範囲で実施することができる。
【０１０８】
当業者であれば、添付図面を参照すれば、本発明の内容が明白となるであろう。
【図面の簡単な説明】
【０１０９】
【図１（ａ）】特に好ましい他の実施形態を含む本発明の概念図である。
【図１（ｂ）】図３（ａ）に示す機能からの出力と活動時間による変調の組み合わせにより予測認知能力を導く様子をグラフィックに示す。
【図２】認知能力容量の予測値を計算するための覚醒、睡眠、遅延および睡眠惰性関数を表すブロック図である。
【図３（ａ）】覚醒状態と睡眠状態が認知能力に及ぼす影響を２４時間にわたって示すグラフである。
【図３（ｂ）】図３（ａ）の丸で囲んだ図３（ｂ）部分の拡大図であり、認知能力容量に関する遅延関数を示すグラフである。
【図３（ｃ）】図３（ａ）の丸で囲んだ図３（ｃ）部分の拡大図であり、認知能力容量に関する睡眠惰性関数を示すグラフである。
【図４（ａ）】本発明の方法の各工程を示す詳しいフローチャートである。
【図４（ｂ）】本発明の方法の各工程を示す詳しいフローチャートである。
【図５】４０時間の完全に睡眠を剥奪された期間の間、２時間ごとに１０分間の精神運動覚醒仕事（ＰＶＴ）試験を行う間の仕事に対する時間の影響を示す。
【図６】別の実施形態の機能的表現を示す。
【図７（ａ）】好適な実施形態に対する構造要素のブロック図である。
【図７（ｂ）】別の組の構造要素のブロック図である。
【図８（ａ）】別の実施形態の各工程を示す詳細なフローチャートである。
【図８（ｂ）】別の実施形態の各工程を示す詳細なフローチャートである。
【図９（ａ）】アクティグラフの回路を示す。
【図９（ｂ）】図９（ａ）のアクティグラフの回路に基づく実際のアクティグラフを示す。
【図１０（ａ）】別のアクティグラフの回路を示す。
【図１０（ｂ）】図１０（ａ）のアクティグラフの回路に基づく実際のアクティグラフの上面図である。
【図１０（ｃ）】図１０（ａ）のアクティグラフの回路に基づく実際のアクティグラフの底面図である。
【図１（ａ）】
2005506601.tif 000003
【図１（ｂ）】
2005506601.tif 000004
【図２】
2005506601.tif 000005
【図３（ａ）】
2005506601.tif 000006
【図３（ｂ）】
2005506601.tif 000007
【図３（ｃ）】
2005506601.tif 000008
【図４（ａ）】
2005506601.tif 000009
【図４（ｂ）】
2005506601.tif 000010
【図５】
2005506601.tif 000011
【図６】
2005506601.tif 000012
【図７（ａ）】
2005506601.tif 000013
【図７（ｂ）】
2005506601.tif 000014
【図８（ａ）】
2005506601.tif 000015
【図８（ｂ）】
2005506601.tif 000016
【図９（ａ）】
2005506601.tif 000017
【図９（ｂ）】
2005506601.tif 000018
【図１０（ａ）】
2005506601.tif 000019
【図１０（ｂ）】
2005506601.tif 000020
【図１０（ｃ）】
2005506601.tif 000021
【国際公開パンフレット】
2005506601.tif 000022
2005506601.tif 000023
2005506601.tif 000024
2005506601.tif 000025
2005506601.tif 000026
2005506601.tif 000027
2005506601.tif 000028
2005506601.tif 000029
2005506601.tif 000030
2005506601.tif 000031
2005506601.tif 000032
2005506601.tif 000033
2005506601.tif 000034
2005506601.tif 000035
2005506601.tif 000036
2005506601.tif 000037
2005506601.tif 000038
2005506601.tif 000039
2005506601.tif 000040
2005506601.tif 000041
2005506601.tif 000042
2005506601.tif 000043
2005506601.tif 000044
2005506601.tif 000045
2005506601.tif 000046
2005506601.tif 000047
2005506601.tif 000048
2005506601.tif 000049
2005506601.tif 000050
2005506601.tif 000051
2005506601.tif 000052
2005506601.tif 000053
2005506601.tif 000054
2005506601.tif 000055
2005506601.tif 000056
2005506601.tif 000057
2005506601.tif 000058
2005506601.tif 000059
2005506601.tif 000060
2005506601.tif 000061
2005506601.tif 000062
2005506601.tif 000063
2005506601.tif 000064
2005506601.tif 000065
2005506601.tif 000066
2005506601.tif 000067
2005506601.tif 000068
2005506601.tif 000069
2005506601.tif 000070
2005506601.tif 000071
2005506601.tif 000072
2005506601.tif 000073
2005506601.tif 000074
2005506601.tif 000075
2005506601.tif 000076
2005506601.tif 000077
2005506601.tif 000078
2005506601.tif 000079
2005506601.tif 000080
2005506601.tif 000081
2005506601.tif 000082
【国際公開パンフレット（コレクトバージョン）】
2005506601.tif 000083
2005506601.tif 000084
【国際調査報告】
2005506601.tif 000085